【事件の表示】
　特許第６４３５２２０号発明「空気調和機の室外機」の特許異議申立事件について、次のとおり決定する。
【結　論】
　特許第６４３５２２０号の明細書、特許請求の範囲を訂正請求書に添付された訂正明細書、訂正特許請求の範囲のとおり訂正後の請求項〔１ないし７〕について訂正することを認める。
　特許第６４３５２２０号の請求項１、３ないし７に係る特許を維持する。
　特許第６４３５２２０号の請求項２に係る特許についての特許異議の申立てを却下する。
　
【理　由】
第１　手続の経緯
　特許第６４３５２２０号の請求項１ないし７に係る特許についての出願は、平成２７年３月２０日に出願され、平成３０年１１月１６日にその特許権の設定登録がされ、平成３０年１２月５日に特許掲載公報が発行された。
本件異議申立ての経緯は、次のとおりである。
令和１年５月２８日：特許異議申立人　松本　征二（以下、「異議申立人」という。）による請求項１ないし７に係る特許に対する異議の申立て　
令和１年９月２日付け：取消理由通知書
令和１年１１月５日：特許権者による意見書及び訂正請求書の提出
令和１年１１月１１日付け：訂正請求があった旨の通知（特許法第１２０条の５第５項）
令和１年１２月１２日：異議申立人による意見書の提出
　
第２　訂正の請求
１　訂正の内容
　令和１年１１月５日付けの訂正請求書による訂正（以下、「本件訂正」という。）の内容は、次の訂正事項よりなる（なお、下線を付した箇所は訂正箇所である。）。
　
（１）訂正事項１
　特許請求の範囲の請求項１に
「上下方向に複数段に配置された伝熱管およびフィンを含む室外熱交換手段と、
　前記室外熱交換手段の下流側に配置されるプロペラファンを含む室外送風手段と、を備え、
　前記室外熱交換手段は、前記プロペラファンと対向して配置されるとともに、前記フィンが前記プロペラファンの中心軸に直交する上下方向に直線状に延び、
　前記伝熱管は扁平形状であり、かつ、前記プロペラファンの中心軸を通る仮想水平面に対して上方に位置する前記伝熱管のすべては下流側が前記仮想水平面を向くように傾斜状態で配置されていることを特徴とする空気調和機の室外機。」とあるのを、
　
「上下方向に複数段に配置された伝熱管およびフィンを含む室外熱交換手段と、
　前記室外熱交換手段の下流側に配置されるプロペラファンを含む室外送風手段と、を備え、
　前記室外熱交換手段は、前記プロペラファンと対向して配置されるとともに、前記フィンが前記プロペラファンの中心軸に直交する上下方向に直線状に延び、
　前記伝熱管は扁平形状であり、かつ、前記プロペラファンの中心軸を通る仮想水平面に対して上方に位置する前記伝熱管のすべては下流側が前記仮想水平面を向くように傾斜状態で配置されている
とともに、前記仮想水平面に対して下方に位置する前記伝熱管のすべても下流側が前記仮想水平面を向くように傾斜状態で配置されており、
　
前記室外熱交換手段の高さ方向一端と前記プロペラファンの高さ方向一端との高さ方向長さが、前記室外熱交換手段の高さ方向他端と前記プロペラファンの高さ方向他端との高さ方向長さよりも長く形成され、前記室外熱交換手段の前記高さ方向他端側に位置する前記伝熱管の傾斜角度よりも、前記室外熱交換手段の前記高さ方向一端側に位置する前記伝熱管の傾斜角度が大きくなっている
　
（２）訂正事項２
　特許請求の範囲の請求項２を削除する。
　
（３）訂正事項３
　特許請求の範囲の請求項３に「請求項１又は２に記載の」とあるのを、「請求項
１
　
（４）訂正事項４
　特許請求の範囲の請求項４の「前記室外熱交換手段は、前記中心軸を通る前記仮想水平面を基準にして上下対称に構成されていることを特徴とする請求項１から請求項３のいずれか１項に記載の空気調和機の室外機。」とあるうち、請求項１を引用するものについて独立形式に改め、
　
「
上下方向に複数段に配置された伝熱管およびフィンを含む室外熱交換手段と、
　
前記室外熱交換手段の下流側に配置されるプロペラファンを含む室外送風手段と、を備え、
　
前記室外熱交換手段は、前記プロペラファンと対向して配置されるとともに、前記フィンが前記プロペラファンの中心軸に直交する上下方向に直線状に延び、
　
前記伝熱管は扁平形状であり、かつ、前記プロペラファンの中心軸を通る仮想水平面に対して上方に位置する前記伝熱管のすべては下流側が前記仮想水平面を向くように傾斜状態で配置され、
　前記室外熱交換手段は、前記中心軸を通る前記仮想水平面を基準にして上下対称に構成されていることを特徴とす
る空
　
（５）訂正事項５
　特許請求の範囲の請求項５に「請求項１から請求項４のいずれか１項に記載の」とあるのを、「請求項１
又は３
　
（６）訂正事項６
　特許請求の範囲の請求項６に「請求項１から請求項５のいずれか１項に記載の」とあるのを、「請求項１
、３又は５
　
（７）訂正事項７
　特許請求の範囲の請求項７に「請求項１から請求項６のいずれか１項に記載の」とあるのを、「請求項１
、３、５又は６
　
（８）訂正事項８
　願書に添付した明細書の段落【０００６】に記載の「配置されていることを特徴とする。」を「配置されている
とともに、前記仮想水平面に対して下方に位置する前記伝熱管のすべても下流側が前記仮想水平面を向くように傾斜状態で配置されており、前記室外熱交換手段の高さ方向一端と前記プロペラファンの高さ方向一端との高さ方向長さが、前記室外熱交換手段の高さ方向他端と前記プロペラファンの高さ方向他端との高さ方向長さよりも長く形成され、前記室外熱交換手段の前記高さ方向他端側に位置する前記伝熱管の傾斜角度よりも、前記室外熱交換手段の前記高さ方向一端側に位置する前記伝熱管の傾斜角度が大きくなっている
　
２　訂正の目的の適否、新規事項の追加の有無、及び特許請求の範囲の拡張・変更の存否
　
（１）訂正事項１
ア　訂正の目的について
　訂正事項１は、訂正前の「空気調和機の室外機」の「伝熱管」、「室外熱交換手段」、及び「プロペラファン」に対して、「前記仮想水平面に対して下方に位置する前記伝熱管のすべても下流側が前記仮想水平面を向くように傾斜状態で配置されており、前記室外熱交換手段の高さ方向一端と前記プロペラファンの高さ方向一端との高さ方向長さが、前記室外熱交換手段の高さ方向他端と前記プロペラファンの高さ方向他端との高さ方向長さよりも長く形成され、前記室外熱交換手段の前記高さ方向他端側に位置する前記伝熱管の傾斜角度よりも、前記室外熱交換手段の前記高さ方向一端側に位置する前記伝熱管の傾斜角度が大きくなっている」ことを限定するものである。
　したがって、訂正事項１は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること
　訂正事項１は、本願明細書の段落【００２１】、【００２３】及び【００２７】並びに図３の記載に基づく訂正であるから、願書に添付した明細書又は特許請求の範囲に記載した範囲内の訂正である。
　したがって、訂正事項１は、特許法第１２０条の５第９項で準用する特許法第１２６条第５項の規定に適合するものである。
　
ウ　実質上特許請求の範囲を拡張し、又は変更する訂正ではないこと
　訂正事項１は、上記アのように訂正前の請求項１に記載された事項をさらに限定するものであって、カテゴリーや対象、目的を変更するものではないから、実質上特許請求の範囲を拡張し、又は変更するものには該当しない。
　したがって、訂正事項１は、特許法第１２０条の５第９項で準用する特許法第１２６条第６項の規定に適合するものである。
　　
（２）訂正事項２
ア　訂正の目的について
　訂正事項２は、請求項２を削除するというものである。
　したがって、訂正事項２は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること、及び実質上特許請求の範囲を拡張し、又は変更する訂正ではないこと
　上記アに記載したとおり、訂正事項２は、請求項２を削除するというものであるから、願書に添付した明細書又は特許請求の範囲に記載した範囲内の訂正であり、かつ、実質上特許請求の範囲を拡張し、又は変更するものではない。
　したがって、訂正事項２は、特許法第１２０条の５第９項で準用する特許法第１２６条第５項及び第６項の規定に適合するものである。
　
（３）訂正事項３
ア　訂正の目的について
　訂正事項３は、訂正前の請求項３が、請求項１又は２の記載を引用する記載であるところ、請求項２を引用せず、請求項１を引用する記載とすることにより引用請求項数を削減するものであるから、訂正事項３は、特許法第１２０条の５第２項ただし書第１号に掲げる特許請求の範囲の減縮を目的とするものである。　
　
イ　願書に添付した明細書、特許請求の範囲又は図面に記載した事項の範囲内の訂正であること、及び実質上特許請求の範囲を拡張し、又は変更する訂正ではないこと
　上記アに記載したとおり、訂正前の請求項３が、請求項１又は２の記載を引用する記載であるところ、請求項２を引用せず、請求項１のみを引用する記載とすることにより引用請求項数を削減するものであるから、訂正事項３は、願書に添付した明細書又は特許請求の範囲に記載した範囲内の訂正であり、かつ、実質上特許請求の範囲を拡張し、又は変更するものではない。
　したがって、訂正事項３は、特許法第１２０条の５第９項で準用する特許法第１２６条第５項及び第６項の規定に適合するものである。
　
（４）訂正事項４
ア　訂正の目的について
　訂正事項４は、訂正前の請求項４が請求項１から３のいずれか１項を引用する記載であるところ、請求項２及び３を引用せずに引用請求項数を削減したうえで、請求項１を引用するものについて請求項間の引用関係を解消して独立形式請求項に改めるための訂正であるから、訂正事項４は、特許法第１２０条の５第２項ただし書第１号及び第４号に掲げる特許請求の範囲の減縮及び他の請求項の記載を引用する請求項の記載を当該他の請求項の記載を引用しないものとすることを目的とするものである。
　
イ　願書に添付した明細書、特許請求の範囲又は図面に記載した事項の範囲内の訂正であること、及び実質上特許請求の範囲を拡張し、又は変更する訂正ではないこと
　訂正事項４は、何ら実質的な内容の変更を伴うものではないから、特許法第１２０条の５第９項で準用する特許法第１２６条第５項及び第６項の規定に適合するものである。
　
（５）訂正事項５
ア　訂正の目的について
　訂正事項５は、訂正前の請求項５が、請求項１ないし４のいずれか１項を引用する記載であるところ、請求項２及び４を引用せず、請求項１又は３を引用する記載とすることにより引用請求項数を削減するものであるから、訂正事項５は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること、及び実質上特許請求の範囲を拡張し、又は変更する訂正ではないこと
　上記アに記載したとおり、訂正前の請求項５が、請求項１ないし４のいずれか１項の記載を引用する記載であるところ、請求項２及び４を引用せず、請求項１又は３を引用する記載とすることにより引用請求項数を削減するものであるから、訂正事項５は、願書に添付した明細書又は特許請求の範囲に記載した範囲内の訂正であり、かつ、実質上特許請求の範囲を拡張し、又は変更するものではない。
　したがって、訂正事項５は、特許法第１２０条の５第９項で準用する特許法第１２６条第５項及び第６項の規定に適合するものである。
　
（６）訂正事項６
ア　訂正の目的について
　訂正事項６は、訂正前の請求項６が、請求項１から請求項５のいずれか１項を引用する記載であるところ、請求項２及び４を引用せず、請求項１、３又は５を引用する記載とすることにより引用請求項数を削減するものであるから、訂正事項６は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること、及び実質上特許請求の範囲を拡張し、又は変更する訂正ではないこと
　上記アで記載したとおり、訂正前の請求項６が、請求項１から請求項５のいずれか１項を引用する記載であるところ、請求項２及び４を引用せず、請求項１、３又は５を引用する記載とすることにより引用請求項数を削減するものであるから、訂正事項６は、願書に添付した明細書又は特許請求の範囲に記載した範囲内の訂正であり、かつ、実質上特許請求の範囲を拡張し、又は変更するものではない。
　したがって、訂正事項６は、特許法第１２０条の５第９項で準用する特許法第１２６条第５項及び第６項の規定に適合するものである。
　
（７）訂正事項７
ア　訂正の目的について
　訂正事項７は、訂正前の請求項７が、請求項１から請求項６のいずれか１項を引用する記載であるところ、請求項２及び４を引用せず、請求項１、３、５又は６を引用する記載とすることにより引用請求項数を削減するものであるから、訂正事項７は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること、及び実質上特許請求の範囲を拡張し、又は変更する訂正ではないこと
　上記アで記載したとおり、訂正前の請求項７が、請求項１から請求項６のいずれか１項を引用する記載であるところ、請求項２及び４を引用せず、請求項１、３、５又は６を引用する記載とすることにより引用請求項数を削減するものであるから、訂正事項７は、願書に添付した明細書又は特許請求の範囲に記載した範囲内の訂正であり、かつ、実質上特許請求の範囲を拡張し、又は変更するものではない。
　したがって、訂正事項７は、特許法第１２０条の５第９項で準用する特許法第１２６条第５項及び第６項の規定に適合するものである。
　
（８）訂正事項８
ア　訂正の目的について
　訂正事項８は、上記訂正事項１による特許請求の範囲の請求項１の訂正に伴って、特許請求の範囲と明細書の記載との整合を図るための訂正である。
　よって、訂正事項８は特許法第１２０条の５第２項ただし書第３号に規定する明瞭でない記載の釈明を目的とするものである。
　
イ　願書に添付した明細書、特許請求の範囲又は図面に記載した事項の範囲内の訂正であること
　訂正事項８は、本願明細書の段落【００２１】、【００２３】及び【００２７】並びに図３の記載に基づく訂正であるから、願書に添付した明細書又は特許請求の範囲に記載した範囲内の訂正である。
　したがって、訂正事項８は、特許法第１２０条の５第９項で準用する特許法第１２６条第５項の規定に適合するものである。
　
ウ　実質上特許請求の範囲を拡張し、又は変更する訂正ではないこと
　上記アで記載したとおり、訂正事項８は、上記訂正事項１による特許請求の範囲の請求項１の訂正に伴って、特許請求の範囲と明細書の記載との整合を図るための訂正であるから、訂正事項８は、実質上特許請求の範囲を拡張し、又は変更するものではない。
　したがって、訂正事項８は、特許法第１２０条の５第９項で準用する特許法第１２６条第６項の規定に適合するものである。
　
３　小括
　以上のとおりであるから、本件訂正は、特許法第１２０条の５第２項ただし書第１号及び第３号に掲げる事項を目的とするものであり、かつ、特許法第１２０条の５第９項で準用する同法第１２６条第５項ないし第６項の規定に適合するので、訂正後の請求項〔１ないし７〕について訂正することを認める。
　　
第３　本件訂正発明
　本件訂正により訂正された請求項１ないし７に係る発明（以下、それぞれ「訂正発明１」ないし「訂正発明７」という。また、これらを総称して「訂正発明」という。）は、その特許請求の範囲の請求項１ないし７に記載された事項により特定される次のとおりのものである。
　
「【請求項１】
　上下方向に複数段に配置された伝熱管およびフィンを含む室外熱交換手段と、
　前記室外熱交換手段の下流側に配置されるプロペラファンを含む室外送風手段と、を備え、
　前記室外熱交換手段は、前記プロペラファンと対向して配置されるとともに、前記フィンが前記プロペラファンの中心軸に直交する上下方向に直線状に延び、
　前記伝熱管は扁平形状であり、かつ、前記プロペラファンの中心軸を通る仮想水平面に対して上方に位置する前記伝熱管のすべては下流側が前記仮想水平面を向くように傾斜状態で配置されているとともに、前記仮想水平面に対して下方に位置する前記伝熱管のすべても下流側が前記仮想水平面を向くように傾斜状態で配置されており、
　前記室外熱交換手段の高さ方向一端と前記プロペラファンの高さ方向一端との高さ方向長さが、前記室外熱交換手段の高さ方向他端と前記プロペラファンの高さ方向他端との高さ方向長さよりも長く形成され、前記室外熱交換手段の前記高さ方向他端側に位置する前記伝熱管の傾斜角度よりも、前記室外熱交換手段の前記高さ方向一端側に位置する前記伝熱管の傾斜角度が大きくなっていることを特徴とする空気調和機の室外機。
【請求項２】（削除）
【請求項３】
　前記伝熱管は、各段毎または複数段毎に、前記中心軸から離れるほど前記仮想水平面に対する傾斜角度が大きいことを特徴とする請求項１に記載の空気調和機の室外機。
【請求項４】
　上下方向に複数段に配置された伝熱管およびフィンを含む室外熱交換手段と、
　前記室外熱交換手段の下流側に配置されるプロペラファンを含む室外送風手段と、を備え、
　前記室外熱交換手段は、前記プロペラファンと対向して配置されるとともに、前記フィンが前記プロペラファンの中心軸に直交する上下方向に直線状に延び、
　前記伝熱管は扁平形状であり、かつ、前記プロペラファンの中心軸を通る仮想水平面に対して上方に位置する前記伝熱管のすべては下流側が前記仮想水平面を向くように傾斜状態で配置され、
　前記室外熱交換手段は、前記中心軸を通る前記仮想水平面を基準にして上下対称に構成されていることを特徴とする空気調和機の室外機。
【請求項５】
　前記室外熱交換手段は、空気の流れ方向に沿って複数列に配置され、一の前記室外熱交換手段の前記伝熱管の延長線上に他の前記室外熱交換手段の前記伝熱管が配置されていないことを特徴とする請求項１又は３に記載の空気調和機の室外機。
【請求項６】
　前記中心軸に近い側における前記伝熱管同士の間隔は、前記中心軸から遠い側における前記伝熱管同士の間隔よりも狭いことを特徴とする請求項１、３又は５に記載の空気調和機の室外機。
【請求項７】
　前記伝熱管は、前記上下方向の断面視において翼形状であることを特徴とする請求項１、３，５又は６に記載の空気調和機の室外機。」
　
第４　取消理由について
１　取消理由の概要
　請求項１ないし３及び５ないし７に係る特許に対して当審が令和１年９月２日付け取消理由により特許権者に通知した取消理由の概要は次のとおりである。
　
［理由１］本件特許の下記の請求項に係る発明は、本件特許の出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。 
　
［理由２］本件特許請求の範囲の記載が下記の点で不備のため、特許法第３６条第６項第１号に規定する要件を満たしていないから、その発明に係る特許は取り消すべきものである。 
　
（当審注：以下、甲第○号証を「甲○」、甲第○号証に係る発明を「甲○発明」、及び甲第○号証に記載された事項を甲○記載事項、本件特許の請求項○に係る発明を「本件発明○」という。）
　
　　　　　　　　　　　　　　　　記　
　
１−１　［理由１］について
（１）請求項１
　本件発明１は、甲１発明、甲２、４、５、６にみられるような周知技術（以下、「周知技術１」という。）及び甲６記載事項に基いて当業者が容易に発明をすることができたものである。
　
（２）請求項２
　本件発明２は、
ア　甲２発明、甲１、４、５、７にみられるような周知技術（以下、「周知技術２」という。）及び甲２記載事項、
または、
イ　甲３発明、周知技術１及び甲６記載事項
に基いて当業者が容易に発明をすることができたものである。
　
（３）請求項５
　本件発明５は、
ア　甲１発明、周知技術１、甲６、８及び１０記載事項、　
イ　甲２発明、周知技術２、甲２、甲８及び１０記載事項、
または、
ウ　甲３発明、周知技術１、甲６、８及び１０記載事項
に基いて当業者が容易に発明をすることができたものである。
　
（４）請求項７
　本件発明７は、
ア　甲１発明、周知技術１、甲６、８、１０、１２及び１３記載事項
イ　甲２発明、周知技術２、甲２、甲８、１０、１２及び１３記載事項
または、　
ウ　甲３発明、周知技術１、甲６、８，１０、１２及び１３記載事項
に基いて当業者が容易に発明をすることができたものである。
　
１−２　［理由２］について
（１）請求項１、３及び５ないし７について
　請求項１に係る発明においては、「前記伝熱管は扁平形状であり、かつ、前記プロペラファンの中心軸を通る仮想水平面に対して上方に位置する前記伝熱管のすべては下流側が前記仮想水平面を向くように傾斜状態で配置されていること」が特定されている。
　そして、上記請求項１に係る発明においては、プロペラファンの中心軸を通る仮想水平面に対して下方に位置する前記伝熱管の傾斜状態について特定されていない以上、プロペラファンの中心軸を通る仮想水平面に対して下方に位置する前記伝熱管が、水平であって傾斜しない、あるいは、上流側が前記仮想水平面を向くように傾斜状態で配置されているものも含みうる。
　しかし、そのような形態については発明の詳細な説明において記載されていない。
　また、「プロペラファンの中心軸を通る仮想水平面に対して下方に位置する前記伝熱管」が水平であって傾斜しない場合は、「熱交換器の排水性を確保する」（本件特許明細書段落【０００４】及び【０００５】を参照）という課題を「下方に位置する前記伝熱管」に関しては解決することができない。　　
　そうすると、請求項１に係る発明は、発明の詳細な説明の記載された範囲を超えるものであって、かつ、発明の詳細な説明において、発明の課題が解決できることを当業者が認識できるように記載された範囲を超えるものである。
　請求項１を引用する請求項３及び５ないし７についても同様である。
　
（２）請求項２、３及び５ないし７について
　請求項２に係る発明においては、「前記伝熱管は扁平形状であり、かつ、前記プロペラファンの中心軸を通る仮想水平面に対して下方に位置する前記伝熱管のすべては下流側が上方を向くように傾斜状態で配置されていること」が特定されている。
　そして、上記請求項２に係る発明においては、プロペラファンの中心軸を通る仮想水平面に対して上方に位置する前記伝熱管の傾斜状態について特定されていない以上、プロペラファンの中心軸を通る仮想水平面に対して上方に位置する伝熱管が水平であって傾斜しない、あるいは、伝熱管の下流側が上方を向くように傾斜状態で配置されているものも含みうる。
　しかし、そのような形態については発明の詳細な説明において記載されていない。　
　また、「上方に位置する前記伝熱管」が水平であって傾斜しない場合は、「熱交換器の排水性を確保する」（本件特許明細書段落【０００４】及び【０００５】を参照）という課題を「プロペラファンの中心軸を通る仮想水平面に対して上方に位置する前記伝熱管」に関しては解決することができない。　　
　そうすると、請求項２に係る発明は、発明の詳細な説明の記載された範囲を超えるものであって、かつ、発明の詳細な説明において、発明の課題が解決できることを当業者が認識できるように記載された範囲を超えるものである。
　請求項２を引用する請求項３及び５ないし７についても同様である。
　　
２　甲号証一覧
　異議申立人が提出した甲号証は以下のとおりのものである。
甲１：特開平８−２４７６７８号公報
甲２：特開平１−３０６７９７号公報
甲３：特開平７−９１８７３号公報
甲４：特開２０１２−９３０１０号公報
甲５：特開２００４−１０８６４７号公報
甲６：特開２０１３−１４８２３１号公報
甲７：特開２００３−１４８８８９号公報
甲８：特開２０１２−２６６１５号公報
甲９：特開平５−３１２３５２号公報
甲１０：特開２００７−１８３０８８号公報
甲１１：特開２０１４−７４５６３号公報
甲１２：特開２００２−１３９２８２号公報
甲１３：実願平３−７３１４７号（実開平５−２５１７３号）のＣＤ−ＲＯＭ
甲１４：実願昭６０−１８３４８６号（実開昭６２−９３５７１号）のマイクロフィルム
甲１５：特開平１０−２８８０３４号公報
　
３　甲１ないし１５の記載等
（１）甲１について
ア　甲１の記載（なお、下線は、当審において付したものである。）。
１ａ）「【特許請求の範囲】
【請求項１】　複数の
アルミニウム製フィン
アルミニウム製チューブとからなるアルミニウム製熱交換器
フィンとしてプレートフィンを用い、チューブとして複数の小径孔を有する押出偏平伝熱管を用いてなるアルミニウム製熱交換器。
【請求項２】　偏平伝熱管群の両端に冷媒用ヘッダー管を結合してなる請求項１記載のアルミニウム製熱交換器。
【請求項３】　ヘッダー管が左右に配置される場合に、
互いに平行な偏平伝熱管群を、空気流方向に対して水平より45°以下の角度に下流側を下方に傾けてなる
【請求項４】　ヘッダー管が上下に配置される場合に、
互いに平行な偏平伝熱管群を、空気流方向に対して水平より45°以下の角度に下流側を下方に傾けてなる
　
１ｂ）「【００１１】この発明の第三のアルミニウム製プレートフィンチューブ熱交換器は、図５・図６では偏平伝熱管32は傾斜させてないが、図７・図８に示すように、
冷媒用ヘッダー管が左右に配置される場合に、プレートフィン31を貫通する互いに平行な偏平伝熱管32群を、空気流方向に対して水平より45°以下の角度に傾け、空気流の上流側より下流側を下方に位置させた構造を有している。
　
１ｃ）「【００１５】本発明のアルミニウム製プレートフィンチューブ熱交換器によれば、偏平伝熱管群の両端をヘッダー管にて密閉接合する構造を有するので、従来のプレートフィンチューブ熱交換器のように冷媒通路が蛇行することなく、いわゆるパラレルフロー構造を形成する。したがって、冷媒圧損が小さくなる。また、本発明の図７・図８に示す構造では、フィン31は所定間隔へだてて垂直で平行に配置されているので、図14に示すような従来のコルゲートフィンの場合とは異なり、
蒸発器として機能する時は、凝縮水の水はけ性が良く、また偏平伝熱管32が水平に対して下流側が下方に傾斜しているので、凝縮水が偏平伝熱管32の偏平部に保持されることが少なくなる。その結果、コア全体として、凝縮水あるいは霜によるフィン31間のブリッジングが軽減され、伝熱特性の大幅な低下を回避できる
　
１ｄ）「【００１９】本実施例のオールアルミニウムプレートフィン熱交換器を夏季冷房時の室外機すなわち凝縮機として使用することを想定して、風洞試験にて熱通過率を測定した。結果を図13に示す。図中、実線は本実施例を、破線は従来例を示す。従来型のプレートフィンチューブ (銅チューブ) 熱交換器よりはるかに優れた伝熱特性を有することがわかる。実際に
本実施例のオールアルミニウムプレートフィンチューブ熱交換器を室外機としてヒートポンプ式空調機に組み込み、室内冷房状態にて運転した
　
１ｅ）「【００２７】本発明のアルミニウム製プレートフィンチューブ熱交換器は、ヒートポンプ式空調機に組み込んで使用するとき、同一の熱交換機が凝縮器あるいは蒸発器としていずれの機能の場合でも、極めて高い総括伝熱特性を発揮することができる。特に冬季の低温暖房時の
室外熱交換機すなわち蒸発器として機能するときも高伝熱特性を維持できる
　
１ｆ）図７及び図８から、アルミニウム製プレートフィンチューブ熱交換器が偏平伝熱管３２及びプレートフィン３１を含むものであって、偏平伝熱管３２が上下方向に複数段配置されており、プレートフィン３１が上下方向に直線状に延びる構造であること、及び偏平伝熱管３２は扁平形状であることが看取できる。
　
１ｇ）上記１ｄ）から、アルミニウム製プレートフィンチューブ熱交換器はヒートポンプ式空調機の室外機に用いられることが分かる。
　
１ｈ）「
」
　　　　　　　　　　　　　　　　　　　
１ｉ）「
　」
　
イ　甲１発明
　上記アを総合すると、甲１には、次の事項からなる発明（以下、「甲１発明」という。）が記載されていると認める。
「上下方向に複数段に配置された偏平伝熱管３２およびプレートフィン３１を含むアルミニウム製プレートフィンチューブ熱交換器を備え、プレートフィン３１は上下方向に直線状に延び、偏平伝熱管３２は扁平形状であり、偏平伝熱管３２は、空気流方向に対して水平より４５°以下の角度に傾けたものであり、空気流の上流側より下流側を下方に配置した、ヒートポンプ式空調機の室外機。」　
　
ウ　甲１記載事項
　上記アからみて、甲１には、次の事項（以下、「甲１記載事項」という。）が記載されていると認める。
　「フィンとしてプレートフィン３１を用いたアルミニウム製プレートフィンチューブ熱交換器。」
　
（２）甲２について
ア　甲２の記載
２ａ）「２、特許請求の範囲
　中仕切板を有し
水平面に対して傾斜させて設置された偏平伝熱管
　
２ｂ）「３、産業上の利用分野
本発明は
空調機器分野の蒸発器や凝縮器等に使用される熱交換器
　
２ｃ）「実施例
　以下、本発明の実施例を図面にもとづいて説明する。
第１図、第２図、第３図において、１は偏平伝熱管で水平面に対して傾斜させて設置されており、
　上記構成において、
屋外に設置したときの作用を説明すると、第３図において雨天のとき偏平伝熱管１やフィン２に付着した雨水８は傾斜させた偏平伝熱管１の表面に沿って移動し送風ファン６の反対側である熱交換器５の前面の下端９に集められ重力作用によって滴下される。また、蒸発器として使用したとき偏平伝熱管１の表面に発生した結露水１０についても傾斜させた偏平伝熱管１の表面に沿って移動し送風ファン６の反対側である熱交換器５の前面の下端９に集められ重力作用によって滴下される。
　　　
２ｄ）第３図から、熱交換器５が偏平伝熱管１及びフィン２を含むものであって、
・偏平伝熱管１が上下方向に複数段配置されており、偏平伝熱管１は扁平形状であること
・熱交換器５の下流側に送風ファン６が配置されるとともに、熱交換器５は送風ファン６と対向して配置されており、全ての偏平伝熱管１は下流側が上方を向くように傾斜して配置されていること、
・フィン２が偏平伝熱管１の間に、偏平伝熱管１と同じ傾斜角で設けられていること、
・偏平伝熱管１が、送風ファン６の中心軸に直交する上下方向に複数段配置されること。
が、それぞれ看取できる。
　
２ｅ）「
　　　　　　　　　　　　　　　　　　　」
　
イ　甲２発明
　上記アを総合すると、甲２には、次の事項からなる発明（以下、「甲２発明」という。）が記載されていると認める。
「上下方向に複数段に配置された偏平伝熱管１およびフィン２を含む熱交換器５と、熱交換器５の下流側に配置される送風ファン６と、を備え、熱交換器５は送風ファン６と対向して配置されるとともに、フィン２が偏平伝熱管１の間に、偏平伝熱管１と同じ傾斜角で設けられており、偏平伝熱管１は扁平形状であって、全ての偏平伝熱管１は下流側が上方を向くように傾斜して配置されている、屋外に設置され、ケース７に収納された、空調機器分野の蒸発器や凝縮器等として使用される熱交換器５及び送風ファン６。」
　
ウ　甲２記載事項
　上記アからみて、甲２には、次の事項が記載されていると認める。
　「屋外に設置され、ケース７に収納された空調機器分野の蒸発器や凝縮器等として使用される熱交換器５の下流側に送風ファン６が配置されているとともに、熱交換器５は送風ファン６と対向して配置されること。」（以下、「甲２記載事項１」という。）
　
　「熱交換器５の偏平伝熱管１が、送風ファン６の中心軸に直交する上下方向に複数段配置されること。」（以下、「甲２記載事項２」という。）　
　
（３）甲３について
ア　甲３の記載
３ａ）「【０００１】
【産業上の利用分野】本発明は、
ルームエアコン，パッケージエアコンなどのヒートポンプ用熱交換器に係り、室内熱交換器にも室外熱交換器にも適用可能
　
３ｂ）「【００１０】
【課題を解決するための手段】上記第１の目的を達成するために
本発明のフィンアンドチューブ形熱交換器は、複数の切り欠きを有する垂直な平板フィン
偏平管の断面が空気流れに対して上り傾斜となるようにフィン面上に切り欠きを設けた
　
３ｃ）「【００２０】図１に示すように、平板フィン１が多数枚、垂直に並んでおり、フィン１に直交して偏平管２が、フィン１の空気下流方向から挿入されている。偏平管２は、左右のヘッダ７に挿入され、冷媒が流れる。冷媒の流れを矢印８で示す。
偏平管２の位置は、空気流れ５に対して、フィンの下流側に位置している。このような形態の熱交換器を、ヒートポンプルームエアコン，パッケージエアコンの室外熱交換器、室内熱交換器として用いることができる。
【００２１】図２に示すように、冷媒は、偏平管２の小孔内を流れつつ、蒸発したり、凝縮したりする。流入空気５は、冷媒の蒸発潜熱で冷却されたり、凝縮潜熱で加熱されたりする。偏平管２は、平板フィン１の中央より空気下流側にずれて位置しており、しかも空気流れ方向に上り傾斜に設置されている。フィン１には、切り欠き４が設けられており、切り欠きの内部に偏平管２が挿入されており、切り欠きの奥行が、偏平管２の幅より長いので、偏平管２の後端は、フィン後縁１より空気上流側に位置している。
【００２２】蒸発器として用いた場合に生じる凝縮水は、偏平管２の前縁部より水滴６となって、フィン面上を流れ落ちる。この時、偏平管を空気下流側から挿入したので、偏平管は平板フィンの中心に対して空気下流側にずれて位置することになる。その結果、フィン前縁部のフィン効率は低下し、蒸発器の場合フィン先端の温度が上昇し、空気との温度差が小さくなるので、この部分での着霜量が減り、霜による目詰りが生じにくくなる。一方、
偏平管を、空気流れ方向に対して上り傾斜に設置することにより、凝縮水あるいは除霜水は、偏平管上面に沿って偏平管前縁部に到り、そこから平板フィンを伝って流れ落ちるので、良好な水切り性能を得ることができる。
　
３ｄ）図１及び図２から、フィンアンドチューブ形熱交換器が偏平管２及び平板フィン１を含むものであって、偏平管２が上下方向に複数段配置されており、平板フィン１が上下方向に直線状に延びる構造であること、及び偏平管２は扁平形状であることが看取できる。
　
３ｅ）上記３ａ）及び３ｃ）から、フィンアンドチューブ形熱交換器は、ヒートポンプルームエアコン，パッケージエアコンの室外機に用いられることが分かる。　
　
３ｆ）「
」
　　　　　　　　　　　　　　　　　　　　
イ　甲３発明
　上記アからみて、甲３には、次の事項からなる発明（以下、「甲３発明」という。）が記載されていると認める。　
「上下方向に複数段に配置された偏平管２および平板フィン１を含む室外熱交換器と、平板フィン１が上下方向に直線的に延び、偏平管２は扁平形状であり、偏平管２は空気流れ方向に対して上り傾斜に設置させた、ヒートポンプルームエアコン、パッケージエアコンの室外機。」
　
（４）甲４について
ア　甲４の記載
４ａ）「【０００４】
　偏平チューブ４は金属を押出成型した細長い成型品であり、内部には冷媒を流通させる冷媒通路５が形成されている。偏平チューブ４は長手方向である押出成型方向を水平にする形で配置されるので、冷媒通路５の冷媒流通方向も水平になる。冷媒通路５は断面形状及び断面面積の等しいものが図８の奥行き方向に複数個並び、そのため偏平チューブ４の垂直断面はハーモニカ状を呈している。各冷媒通路５はヘッダパイプ２、３の内部に連通する。隣り合う偏平チューブ４同士の間にはフィン６が配置される。
フィン６として、ここではコルゲートフィンを用いているが、プレートフィンでも構わない。
４ｂ）「【００４３】
　上記各実施形態の熱交換器１は、セパレート型空気調和機の室外機または室内機に搭載することができる。図５には室外機への搭載例を示す。
【００４４】
　図５の室外機２０は平面形状略矩形の板金製筐体２０ａを備え、筐体２０ａの長辺側を正面２０Ｆ及び背面２０Ｂとし、短辺側を左側面２０Ｌ及び右側面２０Ｒとしている。正面２０Ｆには排気口２１が形成され、
背面２０Ｂには背面吸気口２２が形成され、左側面２０Ｌには側面吸気口２３が形成される。
【００４５】
　筐体２０ａの内部には、背面吸気口２２及び側面吸気口２３のすぐ内側に平面形状Ｌ字形の熱交換器１が配置される。熱交換器１と室外空気との間で強制的に熱交換を行わせるため、熱交換器１と排気口２１の間に送風機２４が配置される。送風機２４は電動機２４ａにプロペラファン２４ｂを組み合わせたものである。送風効率向上のため、筐体２０ａの正面２０Ｆの内面にはプロペラファン２４ｂを囲むベルマウス２５が取り付けられる。筐体２０ａの右側面２０Ｒの内側の空間は背面吸気口２２から排気口２１へと流れる空気流から隔壁２６で隔離されており、ここに圧縮機２７が収容されている。」
　
４ｃ）図５から、背面吸気口２２に面した熱交換器１の下流側にプロペラファン２４ｂを対向配置したものが看取できる。
　
４ｄ）上記４ａ）から、熱交換器１において、偏平チューブ４を設けたフィン６をプレートフィンとすることについて記載されている。
　
４ｅ）「　
　
　　　　　　　　　　　　　　　　　　　　　」
　
イ　甲４記載事項
　上記アからみて、甲４には、次の事項が記載されていると認める。
　「セパレート型空気調和機の室外機において、背面吸気口２２に面した熱交換器１の下流側にプロペラファン２４ｂを対向配置すること」（以下、「甲４記載事項１」という。）
　
　「熱交換器１において、偏平チューブ４を設けたフィン６をプレートフィンとすること」（以下、「甲４記載事項２」という。）
　
（５）甲５について
ア　甲５の記載
５ａ）「【０００４】
図３３は、従来の熱交換器を示す斜視図である。図３３において、
熱交換器９１０は、間隔をおいて立設された複数の板状フィン９１１と、上記板状フィン９１１を貫通する互いに平行な複数の扁平管９１３（図中、水平方向に配置されている）と、扁平管９１３同士を連通する一対のヘッダ９１４、９１５とが、一体にロウ付けされてなるものである。
したがって、（イ）伝熱管が扁平であるため通気抵抗が小さく且つ近接配置が可能であるから、熱交換性能が向上し、（ロ）板状フィンのため結露水や霜の除霜時の排水が良好で、（ハ）さらに、扁平管及び板状フィンよりも融点の低いアルミニウム合金層を形成して扁平管と板状フィンとをロウ付けするので、確実且つ強固にロウ付けすることができるものである（例えば、特許文献１参照）。」　　
　
５ｂ）図２６から、フィンチューブ型熱交換器の下流側に軸流形式送風機３４３０を対向配置したものが看取できる。
　
５ｃ）上記５ａ）から、熱交換器において、扁平管９１３を設けたフィンを板状フィン９１１とすることが分かる。
　
５ｄ）「
　
　　　　　　　　　　　　　　　　　　　　　　　」
　　
５ｅ）「
　　　　　　　　　　　　　　　　　　」
イ　甲５記載事項
　上記アからみて、甲５には、次の事項が記載されていると認める。
　「フィンチューブ型熱交換器の下流側に軸流形式送風機３４３０を対向配置したこと。」（以下、「甲５記載事項１」という。）
　
　「熱交換器において、扁平管９１３を設けたフィンを板状フィン９１１とすること。」（以下、「甲５記載事項２」という。）
　
（６）甲６について
ア　甲６の記載
６ａ）「【００２８】
　（実施の形態１）
　図１は、この発明の実施の形態１における空気調和機の室外機を示す分解組み立て図である。図１を参照して、本実施の形態における室外機１０は、部屋内の空気の温度や湿度などを調整する空気調和機（エアコンディショナ）の室外機である。特に本実施の形態では、空気調和機が、冷房機能および暖房機能のうちの冷房機能のみを有する。室外機１０は、図示しない室内機と組となって空気調和機を構成している。空気調和機の室外機１０は、室外に設置される。」　
　
６ｂ）「【００４０】
　図１から図３を参照して、
プロペラファン５１は、その回転中心である中心軸１０１が平板形状の熱交換器４１に直交するように設けられている。中心軸１０１の軸方向おいて、吸い込み部３６、熱交換器４１、モータ５９、プロペラファン５１および吹き出し部３７が、挙げた順に背面側から前面側に向けて並んで設けられている。
　
６ｃ）上記６ｂ）の記載「吸い込み部３６、熱交換器４１、モータ５９、プロペラファン５１および吹き出し部３７が、挙げた順に背面側から前面側に向けて並んで設けられている」、及び図２から、熱交換器４１の下流側にプロペラファン５１の中心軸１０１が熱交換器４１に直交するように対向配置されることが分かる。
　
６ｄ）「
　
　　　　　　　　　　　　　　　　　　　　　　　　　　　　　　　　　　　」
　
イ　甲６記載事項
　上記アからみて、甲６には、次の事項が記載されていると認める。
「空気調和機の室外機に用いられる熱交換器４１の下流側にプロペラファン５１の中心軸１０１が熱交換器４１に直交するように対向配置されること。」（以下、「甲６記載事項」という。）
　
（７）甲７について
ア　甲７の記載　　
７ａ）「【０００２】
【従来の技術】冷凍装置やラジエータなどに用いられる熱交換器として、板状に加工されたプレートフィンや、波状に加工されたコルゲートフィンを用いたものが知られている。
図１５に示す熱交換器１００は、一定の間隔をあけて平行に配置された複数のプレートフィン１１０と、これらのフィン１１０を貫通するように配置された複数本の管１２０とを有するプレートフィン型熱交換器であり、管あるいはチューブ１２０に冷媒などの熱交換用の流体を流すことにより、外部を流れる空気などの流体と熱交換が行われる。
　
７ｂ）「
　
　　　　　　　　　　　　　　　　　　　　　　」
　
イ　甲７記載事項
　上記アからみて、甲７には、次の事項が記載されていると認める。
「フィンとして、一定の間隔をあけて平行に配置された複数のプレートフィン１１０を用いたプレートフィン型の熱交換器１００」（以下、「甲７記載事項」という。）
　
（８）甲８について
ア　甲８の記載
８ａ）「【００２５】
　ただし、扁平伝熱管６の最適な傾き角度に関しては、熱交換器４の段数、列数及び風量等によって異なってくるため、
熱交換器４における風速分布をより均一にするには、室外機１に応じて各扁平伝熱管６の傾き角度を細かく調整することが必要になる。
図７に示すように、熱交換器４上部から下部にかけて一本単位で、きめ細かく扁平伝熱管６の傾き角度を変化させれば、熱交換器４を通過する空気の風速を、より均一に近づけることも可能である。
　
８ｂ）「【００２８】
　このようにして、室外機１では、扁平伝熱管６の段数に応じて配置角度を変化させることにより、熱交換器４全体としての風速分布が略均一となるように改善することができる。つまり、室外機１では、熱交換器４の熱交換能力を十分に発揮させることは可能にしているのである。なお、扁平伝熱管６の配置角度は、図４に示すように熱交換器４の２段階（範囲Ｘ、範囲Ｙ）で変化させてもよいし、状況に応じて図６に示すように熱交換器４の上部から下部にかけて徐々に変化させてもよい。図６に示すように扁平伝熱管６を配置すれば、さらに風速分布が改善され、高い効果を得ることができることになる。
【００２９】
　また、実施の形態１では
熱交換器４を２列としている状態を図示して説明しているが、これに限定するものではなく、何列でも上記効果を得ることができることは言うまでもない。
　
８ｃ）図４から、熱交換器４において、空気の流れ方向に熱交換器が複数列配置されることが看取できる。
　
８ｄ）「
　　　　　　　　　　　　　　　　　　」
　
イ　甲８記載事項
　上記アからみて、甲８には、次の事項が記載されていると認める。　
「室外機１における熱交換器４を空気の流れ方向に複数列配置すること。」（以下、「甲８記載事項」という。）
　
（９）甲９について
ア　甲９の記載
９ａ）「【００１１】
【実施例】以下、図１に基いて本発明の１実施例について具体的に説明する。図１において、１は空気調和機の室外機で、同室外機１は熱交換器２とモータ４によって駆動される軸流ファン３とコンプレッサ室５によって構成されている。６は壁面である。
【００１２】軸流ファン３は図示のように傾き角がβの後退翼３ａを有しモータ４によって駆動されると実線矢印Ｆが示されているように、熱交換器２を通過するように空気を流すことによって熱交換をおこなわせる。
【００１３】軸流ファン３の上流に配設された熱交換器２の傾き角αは軸流ファン３の後退翼３ａの傾き角βと略平行になるように横方向にくの字型に配設されている。
【００１４】熱交換器２を垂直に配設するよりも軸流ファン３の後退翼３ａに略平行に傾斜させることによって室外機１の両サイドあるいは上下寄りの空気流路を大きくとることができる。
【００１５】また、これにより室外機１と壁面６との隙間Ｌを小さくでき、据え付け面積を減ずることが可能である。その上、熱交換器２を傾斜させることにより熱交換面積を大きくした熱交換器とすることができるためにファンに対する圧力損失が減り、騒音を低減することができる。
【００１６】以上の説明では、後退翼を持つ軸流ファン３によって矢印Ｆのように空気流を発生させる場合について説明したが、図１（ａ）の矢印Ｆａのように、軸流ファンは、その翼が空気流の上流側を挟むように狭くした前進翼をもつものを採用しても同様である。
【００１７】以上の構造によれば、空気流路を大きくすることができるので前述の様に熱交換器２の熱交換面積を大きくし、送風機に対する圧力損失が減り、騒音を低減することができる。
【００１８】図２は第２実施例を示し、この例では、熱交換器２と軸流ファン３の翼３ａとの間に軸流ファン３駆動用のモータ４を配設したもので、図１（ａ）と同様の作用効果を得ることができる。
【００１９】なお、モータ４は軸流ファン３の前面側に配置してもよいことはいうまでもない。」
　
９ｂ）「
　　　　　　　　　　　　　　　　　　　　　　　　　　　　　　　　　　　　　　」
　
（１０）甲１０について
ア　甲１０の記載
１０ａ）図１から、風上列の偏平状の伝熱管４ａの延長線上に風下列の偏平状の伝熱管４ｂが配置されていないことが看取できる。
　
１０ｂ）「
　
　　　　　　　　　　　　　　　　　　」
　
イ　甲１０記載事項
　上記アからみて、甲１０には、次の事項が記載されていると認める。
「風上列の偏平状の伝熱管４ａの延長線上に風下列の偏平状の伝熱管４ｂが配置されていないこと。」（以下、「甲１０記載事項」という。）
　
（１１）甲１１について
ア　甲１１の記載
１１ａ）「【００１９】
　次に、室外空気熱交換器１０３の動作について説明する。前述したように、冷媒は室外空気熱交換器１０３に流入する前に分流して、室外空気熱交換器１０３の各パスに流入する。各パスに流入した冷媒は、複数の送風機ファン２０２の回転によって室外空気熱交換器１０３を通過する空気との強制対流熱伝達により熱交換される。ここで、複数の室外空気熱交換器１０３はすべて同じ回転数で駆動している。
【００２０】
　他の条件が同じであれば、室外空気熱交換器１０３において通過する風量は通風抵抗により決まる。例えば、室外空気熱交換器１０３において通風抵抗が大きい領域では通過する風量は少なくなり、通風抵抗が小さい領域では通過する風量は大きくなる。ここで、例えば、本実施の形態の室外機１１０では、複数の送風機ファン２０２を上側に寄せて設置している。このため、送風機ファン２０２との距離が近い室外空気熱交換器１０３の上側領域に流入する風量よりも室外空気熱交換器１０３の下側領域に流入する風量は少なくなる。
【００２１】
　図４は実施の形態１における室外空気熱交換器１０３を通過する空気の風速分布の概略を示す図である。本実施の形態では、室外空気熱交換器１０３の下側領域における伝熱管３０１のピッチＤｐを上側領域よりも広くなるように構成して通風抵抗が低くなるようにする。そして、室外空気熱交換器１０３の下側領域では、流入する風量に対して通過する風量が増大するようにする。このため、室外機１１０の垂直方向における風速のばらつきを抑えることができ、風速の均一化をはかることができる。風量と風速は、次式（１）で示すように比例関係にある。このため、風量を増やすと風速が増え、風量を減らすと風速が減ることになる。
　風量（ｍ３／ｓ）＝風速（ｍ／ｓ）×面積（ｍ２）　　　　　　　　…（１）
【００２２】
　ここで、特に限定するものではないが、本実施の形態の室外機１１０では、最も上側にある伝熱管３０１のピッチＤｐは、従来の伝熱管３０１におけるピッチと変わらないものとする。また、図４では連続的にピッチを広げるようにしているが、連続的であることに限定するものではない。さらに、
本実施の形態では、室外空気熱交換器１０３と送風機ファン２０２との位置関係により、下側領域における伝熱管３０１のピッチＤｐを上側領域よりも広くなるようにしているが、例えば室外空気熱交換器１０３における風量に基づいてピッチＤｐを決めて構成するようにすればよい。
　
１１ｂ）「
　　　　　　　　　　　　　　　　　　　　　　　　　　　　　　　　　　　　　　」
　
（１２）甲１２について
ア　甲１２の記載
１２ａ）図１から、板状フィン１に設けられた伝熱管２の断面を翼形状としたことが看取できる。
　
１２ｂ）「
　　　　　　　　　　　　　　　　　　　」
　
イ　甲１２記載事項
　上記アからみて、甲１２には、次の事項が記載されていると認める。
「熱交換器における板状フィン１に設けられた伝熱管２の断面を翼形状としたこと。」（以下、「甲１２記載事項」という。）
　
（１３）甲１３について
ア　甲１３の記載
１３ａ）「【０００８】
　【実施例】
　本考案の一実施例に係る空気熱交換器を図１ないし図６によって説明する。１は冷媒が管内を流れ管外の空気を冷却する伝熱管、２はプレートフィンである。プレートフィン２は片面にろう材をコーティングしたクラッド材を用い、伝熱管１断面形状と同一の形状の複数の貫通穴を開け、伝熱管１を水平配置となるように貫通穴に挿入真空ろう付等の加工法により一体ろう付を行う。
【０００９】
　プレートフィン２の断面は、図６に示すように微細な複数の三角溝２ａを刻んだもので、この三角溝２ａは、図６の断面に対して垂直方向に延びて縦溝を形成する。フィンパターンは、図６に示すようにスリットが無いものに限られず、オフセットフィン、ルーバフィン等の適宜スリットを刻んだものであってもよい。
【００１０】
　
伝熱管１の断面形状は、
図５に示す翼形等上面が非偏平な形状のものが採用される。
　
１３ｂ）「
　　　　　　　　　　　　　　　　　　　」
　
イ　甲１３記載事項
　上記アからみて、甲１３には、次の事項が記載されていると認める。
「空気熱交換器におけるプレートフィン２に設けられた伝熱管１の断面を翼形状としたこと。」（以下、「甲１３記載事項」という。）
　
（１４）甲１４について
ア　甲１４の記載
１４ａ）「〔考案の目的〕
　本考案はこのような問題を解決するためになされたもので、その目的は、ファンによるコアへの強制通風の通過の効率性を維持しつつファンシュラウドを除去することにある。
〔問題点を解決するための手段〕
　本考案に係る熱交換器は、一対のタンクの間に介装されたコアと、コアに対面して設けられた吸引式のファンとを備えた熱交換器において、コアの四周をファンに向けて傾斜したテーパ形状としたものである。
〔考案の作用〕
　本考案に係る熱交換器は、テーパ形状としたコアの四周によってファンシュラウドの導風機能を奏させることにより、ファンシュラウドの除去を可能とするものである。
〔考案の実施例〕
　以下、本考案に係る熱交換器の実施例を第１図〜第６図に基づいて説明する。
　第１図は本考案の基本原理を示すもので、コア３の四周Ａ，Ｂ，Ｃ，Ｄをファン４に向けて傾斜したテーパ形状とし、この四周Ａ，Ｂ，Ｃ，Ｄによってファン４に向けてコア３の前面部から導風するようにしたものである。
　本考案は第２図に示す横流れ式の熱交換器でも第３図に示す縦流れ式の熱交換器でも実施が可能であり、前記四周Ａ，Ｂ，Ｃ，Ｄはタンク１，２とレインフォース５とによって囲繞されるため、タンク１，２（座板のみでもよい）とレインフォース５とを傾斜してコア３に組み付けることにより、これ等によって従来のファンシュラウド６を構成したような構造となる。
　第４図はコア３のチューブ３２が偏平チューブの場合のチューブ３２の取付角度の例を示したもので、偏平の長軸をテーパ形状の傾斜線と平行にしたものである。このような取付角度とすることは、前記公報記載の従来の技術におけるような通風の障害とならないようにする消極的な改良に加えて、チューブ３２によっても導風機能を奏させる積極的な意義がある。
　第５図はチューブ３２が複数列配列場合の配列状態の例を示したもので、前後のチューブ３２の通過線を前記テーパ形状の傾斜線と平行にしたものである。なお、図面では円形チューブを示しているが、偏平チューブでも同様である。また、第６図はフィン３１（プレートフィン，コルゲートフィンを問わず）にルーバ３１’が設けられている場合の開口角度の例を示したもので、開口面を前記テーパ形状の傾斜線と直交するようにしたものである。この第５図，第６図に示す状態は、第４図と同様に前記消極的意義に加えて積極的意義を有する。
　以上のようにコア３の四周Ａ，Ｂ，Ｃ，Ｄによって導風される結果、ファンシュラウド６を除去してもファン４によるコア３への強制通風の通過の効率が低下することはなくなる。また、ファンシュラウド６を除去することによって、ファン４をコア３の後面部側に近接させることができ、コア３の後面部側における熱交換器の容積がより縮少される。さらに、ファンシュラウド６の除去は、この熱交換器を自動車用ラジエータとして用いた場合、高速走行中における車速風をも加えた通風の障害が除去されることになり、自動車用エンジンの冷却性能を向上させることになる。」（明細書第３ページ第３行ないし第６ページ第６行）
　
１４ｂ）「
　　　　　　　　　　　　　　　　　　　　　　　　　　　　　　　　　　　　」
　
（１５）甲１５について
ア　甲１５の記載　
１５ａ）「【０００９】
【発明の実施の形態】以下図面を参照して本発明の実施の形態について説明する。図１は本発明の実施の形態による建設機械の冷却装置を搭載したエンジンルームの構成を示す図である。図１に示すように、エンジンルーム１内には、エンジン５と、エンジン冷却水を冷却するラジエータ３および熱を持った作動油を冷却するオイルクーラ４とからなる熱交換器が配置されている。エンジン５には油圧ポンプ６がクランク軸１１に直結して取り付けられ、クランク軸１１に取り付けられたクランクプーリ８とファンベルト１２により連結されたファンプーリ７の軸には遠心型の冷却ファン２が取り付けられている。熱交換器の周辺部には、熱交換器の上流側と下流側とを分離させるための仕切部材９ａ，９ｂが設けられている
【００１０】エンジンルーム１は、建屋カバー５１〜５４により構成されている。上部の建屋カバー５１には、冷却風入口開口部６１，６２と冷却風出口開口部６３，６４とが形成されている。エンジン５を構成するエンジンブロックは、ホース１０ａ，１０ｂによりラジエータ３の上部タンク３ａおよび下部タンク３ｂに連通され、ホース１０ａ，１０ｂ内部にはエンジン冷却水が流れている。エンジンブロックの内部においては、冷却水通路を通ってエンジンブロック内の各冷却部へエンジン冷却水が通水されエンジンを冷却する。冷却した後の冷却水は、一部ヒータへ通水された後、再び冷却水通路を通ってエンジンブロック側の出口へ通水され、再びラジエータ３に流入する。
【００１１】図２はラジエータ３の構成を示す斜視図、図３は図２のＡ−Ａ線断面図、図４は図２のＢ−Ｂ線断面図である。図２〜図４に示すように、ラジエータ３の上部タンク３ａ、下部タンク３ｂおよび左右ブラケット１２ａ，１２ｂにより形成されるコア部における流路３ｃは、その水平方向断面および鉛直方向断面の双方が、前面から後面に向けて幅狭となる台形形状をなしている。また、図３に示すように、ラジエータ３の水平方向に延在する水平フィン１４は、ラジエータ３の上下端にあるものほど流路３ｃの中央に向けて傾斜し、図４に示すように鉛直方向に延在する鉛直フィン１５も、ラジエータ３の左右端にあるものほど流路３ｃの中央に向けて傾斜するように配設されている。そしてこれにより、水平フィン１４および鉛直フィン１５により形成される流路３ｃは、ラジエータ３の前面から後面に向けて、冷却風がラジエータ３の周辺部からファン２の中心に向かい、かつ徐々に断面積が小さくなるものとなっている。したがって、ラジエータ３を通過する冷却風は、ラジエータ３の前面から後面に向けて縁部から中央部に向かって流れることとなる。なお、鉛直フィン１５の内部にはエンジン冷却水の流路１５Ａが形成されている。
【００１２】図５はオイルクーラ４の構成を示す斜視図、図６は図５のＣ−Ｃ線断面図、図７は図５のＤ−Ｄ線断面図である。図５〜図７に示すように、オイルクーラ４の左右タンク４ａ，４ｂおよび上下ブラケット１６ａ，１６ｂにより形成されるコア部における流路４ｃは、上記ラジエータ３と同様に、その水平方向断面および鉛直方向断面の双方が、前面から後面に向けて幅狭となる台形形状をなしている。また、図６に示すように、オイルクーラ４の水平方向に延在する水平フィン１７は、オイルクーラ４の上下端にあるものほど流路４ｃの中央に向けて傾斜し、図７に示すように鉛直方向に延在する鉛直フィン１８もオイルクーラ４の左右端にあるものほど流路４ｃの中央に向けて傾斜するように配設されている。そしてこれにより、水平フィン１７および鉛直フィン１８により形成される流路４ｃはオイルクーラ４の前面から後面に向けて、冷却風がラジエータ４の周辺部からファン２の中心に向かい、かつ徐々に断面積が小さくなるものとなっている。したがって、オイルクーラ４を通過する冷却風は、オイルクーラ４の前面から後面に向けて縁部から中央部に向かって流れることとなる。なお、水平フィン１７の内部にはオイルの流路１７Ａが形成されている。また、オイルクーラ４の流路４ｃの後面における断面積は、ラジエータ３の流路３ｃの前面における断面積と略同一となるように構成されており、これにより、オイルクーラ４からラジエータ３へと冷却風が効率よく流れることとなる。」
　
１５ｂ）「
　
　　　　　　　　　　　　　　　　　　　　　　　　　　　　　　　　　　」
　
４　［理由１］についての判断
　下記「（２）訂正発明５について」、及び「（３）訂正発明７について」の検討において、訂正により甲２発明又は甲３発明を引用発明とする請求項２が削除されたことに伴って、訂正前の請求項５及び７が請求項１を直接あるいは間接的に引用することによる上記１−１（３）及び（４）のアの理由（引用発明を甲１発明とするもの）のみについて検討する。
　
（１）訂正発明１
ア　訂正発明１と甲１発明とを対比する。　
　甲１発明における「偏平伝熱管３２」は、訂正発明１における「伝熱管」に相当し、以下同様に、「プレートフィン３１」は「フィン」に、「ヒートポンプ式空調機」は「空気調和機」に、それぞれ相当する。
　そして、甲１発明における「アルミニウム製プレートフィンチューブ熱交換器」は、上記３（１）ア　１ｇ）の甲１の記載から、室外機としてヒートポンプ式空調機に用いられることが示唆されているから、本件発明１における「室外熱交換手段」に相当する。
　
　したがって、両者の一致点及び相違点は次のとおりである。
　
［一致点］
　「上下方向に複数段に配置された伝熱管およびフィンを含む室外熱交換手段を備え、
前記フィンが上下方向に直線状に延び、
前記伝熱管は扁平形状である、空気調和機の室外機。」
　
［相違点１］
　訂正発明１においては、「空気調和機の室外機」が、「前記室外熱交換手段の下流側に配置されるプロペラファンを含む室外送風手段」を備え、「前記室外熱交換手段は、前記プロペラファンと対向して配置される」のに対して、
　甲１発明においては、「ヒートポンプ式空調機の室外機」における「アルミニウム製プレートフィンチューブ熱交換器」が、そのような室外送風手段を有するか不明である点。
　
［相違点２］
　訂正発明１においては、「前記フィンが前記プロペラファンの中心軸に直交する上下方向に直線状に延び」るのに対して、
　甲１発明においては、ヒートポンプ式空調機の室外機がプロペラファンを有するものか明らかでなく、「プレートフィン３１」の上下方向に直線状に延びる方向が、プロペラファンの中心軸に直交するか不明である点。
　
［相違点３］
　訂正発明１においては、「前記プロペラファンの中心軸を通る仮想水平面に対して上方に位置する前記伝熱管のすべては下流側が前記仮想水平面を向くように傾斜状態で配置されている」のに対して、
　甲１発明においては、「偏平伝熱管３２は、空気流方向に対して水平より４５°以下の角度に傾けたものであり、空気流の上流側より下流側を下方に配置した」ものであって、ヒートポンプ式空調機の室外機がプロペラファンを有するものか明らかでなく、さらに、プロペラファンの中心軸を通る仮想水平面と、偏平伝熱管３２の向きとの関係が不明である点。
　
［相違点４］
　訂正発明１においては、「前記仮想水平面に対して下方に位置する前記伝熱管のすべても下流側が前記仮想水平面を向くように傾斜状態で配置されており、前記室外熱交換手段の高さ方向一端と前記プロペラファンの高さ方向一端との高さ方向長さが、前記室外熱交換手段の高さ方向他端と前記プロペラファンの高さ方向他端との高さ方向長さよりも長く形成され、前記室外熱交換手段の前記高さ方向他端側に位置する前記伝熱管の傾斜角度よりも、前記室外熱交換手段の前記高さ方向一端側に位置する前記伝熱管の傾斜角度が大きくなっている」（以下、「訂正発明１における発明特定事項Ａ」という。）のに対して、
　甲１発明においては、ヒートポンプ式空調機の室外機がプロペラファンを有するものか明らかでなく、さらに、プロペラファンの中心軸を通る仮想水平面と、偏平伝熱管３２の向きとの関係、及びアルミニウム製プレートフィンチューブ熱交換器とプロペラファンの高さ方向の位置関係と偏平伝熱管３２の傾斜角度との関係が不明である点。
　
イ　判断
　事案に鑑み、まず、上記相違点４について検討する。
［相違点４について］
　上記甲２記載事項１は、「屋外に設置され、ケース７に収納された空調機器分野の蒸発器や凝縮器等として使用される熱交換器５の下流側に送風ファン６が配置されているとともに、熱交換器５は送風ファン６と対向して配置されること」、　
　上記甲４記載事項１は、「セパレート型空気調和機の室外機において、背面吸気口２２に面した熱交換器１の下流側にプロペラファン２４ｂを対向配置すること」、
　上記甲５記載事項１は、「フィンチューブ型熱交換器の下流側に軸流形式送風機３４３０を対向配置したこと」、
　上記甲６記載事項は、「空気調和機の室外機に用いられる熱交換器４１の下流側にプロペラファン５１の中心軸１０１が熱交換器４１に直交するように対向配置されること」、
であるから、「空気調和機の室外機に用いられる熱交換器の下流側にプロペラファンなどの室外送風手段を対向配置すること」は本件特許の出願前に周知技術（以下、「周知技術１」という。）であったと認める。
　また、上記甲６記載事項は、熱交換器４１とプロペラファンの中心軸１０１が直交することについても示唆している。
　しかし、上記周知技術１及び甲６記載事項は、アルミニウム製プレートフィンチューブ熱交換器とプロペラファンの高さ方向の位置関係と偏平伝熱管３２の傾斜角度との関係である、上記訂正発明１における発明特定事項Ａを開示や示唆するものではないから、甲１発明に上記周知技術１及び甲６記載事項を適用して、上記相違点４に係る訂正発明１とすることは、当業者が容易になし得たとはいえない。
　したがって、他の相違点について検討するまでもなく、訂正発明１は、甲１発明、周知技術１及び甲６記載事項に基いて当業者が容易に発明をすることができたとはいえない。
　
（２）訂正発明５について
　上記甲８記載事項は、「室外機１における熱交換器４を空気の流れ方向に複数列配置すること。」、
　上記甲１０記載事項は、「風上列の偏平状の伝熱管４ａの延長線上に風下列の偏平状の伝熱管４ｂが配置されていないこと。」である。
　しかし、上記甲８記載事項及び甲１０記載事項は、アルミニウム製プレートフィンチューブ熱交換器とプロペラファンの高さ方向の位置関係と偏平伝熱管３２の傾斜角度との関係である、上記訂正発明１における発明特定事項Ａを開示や示唆するものではない。
　そして、訂正発明５は、上記で検討した訂正発明１を直接あるいは間接的に引用するものであるから、訂正発明５は、甲１発明、周知技術１、甲６記載事項、甲８記載事項及び甲１０記載事項に基いて当業者が容易に発明をすることができたとはいえない。
　
（３）訂正発明７について
　上記甲１２記載事項は、「熱交換器における板状フィン１に設けられた伝熱管２の断面を翼形状としたこと。」、
　上記甲１３記載事項は、「空気熱交換器におけるプレートフィン２に設けられた伝熱管１の断面を翼形状としたこと。」である。
　しかし、上記甲１２記載事項及び甲１３記載事項は、アルミニウム製プレートフィンチューブ熱交換器とプロペラファンの高さ方向の位置関係と偏平伝熱管３２の傾斜角度との関係である、上記訂正発明１における発明特定事項Ａを開示や示唆するものではない。
　そして、訂正発明７は、上記で検討した訂正発明１を直接あるいは間接的に引用するものであるから、訂正発明７は、甲１発明、周知技術１、甲６記載事項、甲８記載事項、甲１０記載事項、甲１２記載事項及び甲１３記載事項に基いて当業者が容易に発明をすることができたとはいえない。
　
５　［理由２］についての検討
　上記第３のとおり、請求項２が訂正により削除された。よって、取消理由の［理由２］における、「（１）請求項１、３及び５ないし７について」の理由についてのみ検討する。
　　
　訂正発明１においては、「前記伝熱管は扁平形状であり、かつ、前記プロペラファンの中心軸を通る仮想水平面に対して上方に位置する前記伝熱管のすべては下流側が前記仮想水平面を向くように傾斜状態で配置されていること」が特定されるとともに、「前記仮想水平面に対して下方に位置する前記伝熱管のすべても下流側が前記仮想水平面を向くように傾斜状態で配置され」ることが特定された。
　そうすると、訂正発明１は、「プロペラファンの中心軸を通る仮想水平面に対して下方に位置する前記伝熱管が、水平であって傾斜しない、あるいは、上流側が前記仮想水平面を向くように傾斜状態で配置されている」形態について含まないことが明らかとなり、訂正発明１が、「熱交換器の排水性を確保しつつ、さらなる性能向上を図る」（本件特許明細書の段落【０００４】及び【０００５】を参照）という課題を解決できるものとなった。
　したがって、訂正発明１は、発明の課題が解決できることを当業者が認識できるように記載された範囲を超えるものではなく、発明の詳細な説明に記載された発明であるから、訂正発明１及び訂正発明１を直接あるいは間接的に引用する訂正発明３、５ないし７は、特許法第３６条第６項第１号に規定する要件を満たしている。
　
第５　取消理由通知において採用しなかった特許異議申立理由について
１　異議理由について
　取消理由通知において採用しなかった特許異議申立理由の概要は次のとおりである。
　
　本件特許の下記の請求項に係る発明は、本件特許の出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。 
　
（１）請求項３について
　本件発明３は、
ア　甲１発明、甲２発明及び甲８記載事項、
イ　甲２発明、甲１、甲５及び甲７にみられるような周知技術及び甲８記載事項、
または、
ウ　甲３発明、甲２発明及び甲８記載事項
に基いて当業者が容易に発明をすることができたものである。
　
（２）請求項４について
　本件発明４は、
ア　甲１発明、甲２発明及び甲８記載事項（または甲９記載事項）、　
イ　甲２発明、甲１、甲５及び甲７にみられるような周知技術及び甲８記載事項（または甲９記載事項）、
または、
ウ　甲３発明、甲２発明及び甲８記載事項（または甲９記載事項）
に基いて当業者が容易に発明をすることができたものである。
　
（３）請求項６について
　本件発明６は、
ア　甲１発明、甲２発明及び甲１１記載事項、
イ　甲２発明、甲１、甲５及び甲７にみられるような周知技術及び甲１１記載事項、
または、
ウ　甲３発明、甲２発明及び甲１１記載事項
に基いて当業者が容易に発明をすることができたものである。
　
２　異議理由についての検討
　訂正により甲２発明又は甲３発明を引用発明とする請求項２が削除されたことに伴って、訂正前の請求項３、４、及び６が請求項１を直接あるいは間接的に引用することによる上記１（１）ないし（３）のアの理由（引用例を甲１発明とするもの）についてのみ検討する。
　
（１）請求項３について
　訂正発明３は、訂正発明１に対して「前記伝熱管は、各段毎または複数段毎に、前記中心軸から離れるほど前記仮想水平面に対する傾斜角度が大きいこと」をさらに特定したものである。
　しかし、甲８の図４、図７からみて、各板状フィンは各段毎にみると、ファン３の中心軸からは、ほぼ等しい距離に配置されており、「中心軸から離れるほど前記仮想水平面に対する傾斜角度が大きい」という構成を有するものではない。
　そうすると、訂正発明３は、甲１発明、甲２発明及び甲８に記載された事項から当業者が容易に発明をすることができたとはいえない。
　
（２）請求項４について
ア　訂正発明４と甲１発明とを対比する。　
　甲１発明における「偏平伝熱管３２」は、訂正発明４における「伝熱管」に相当し、以下同様に、「プレートフィン３１」は「フィン」に、「ヒートポンプ式空調機」は「空気調和機」に、それぞれ相当する。
　そして、甲１発明における「アルミニウム製プレートフィンチューブ熱交換器」は、上記３（１）ア　１ｇ）の甲１の記載から、室外機としてヒートポンプ式空調機に用いられることが示唆されているから、本件発明４における「室外熱交換手段」に相当する。
　
　したがって、両者の一致点及び相違点は次のとおりである。
　　
［一致点］
　「上下方向に複数段に配置された伝熱管およびフィンを含む室外熱交換手段と、
前記フィンが上下方向に直線状に延び、
前記伝熱管は扁平形状である、空気調和機の室外機。」
　
［相違点５］
　訂正発明４においては、「空気調和機の室外機」が、「前記室外熱交換手段の下流側に配置されるプロペラファンを含む室外送風手段」を備え、「前記室外熱交換手段は、前記プロペラファンと対向して配置される」のに対して、
　甲１発明においては、ヒートポンプ式空調機の室外機がプロペラファンを有するものか明らかでなく、さらに、「ヒートポンプ式空調機の室外機」における「アルミニウム製プレートフィンチューブ熱交換器」が、そのような室外送風手段を有するか不明である点。
　
［相違点６］
　訂正発明４においては、「前記フィンが前記プロペラファンの中心軸に直交する上下方向に直線状に延び」るのに対して、
　甲１発明においては、ヒートポンプ式空調機の室外機がプロペラファンを有するものか明らかでなく、さらに、「プレートフィン３１」の上下方向に直線状に延びる方向が、プロペラファンの中心軸に直交するか不明である点。
　
［相違点７］
　訂正発明４においては、「前記プロペラファンの中心軸を通る仮想水平面に対して上方に位置する前記伝熱管のすべては下流側が前記仮想水平面を向くように傾斜状態で配置されている」のに対して、
　甲１発明においては、「偏平伝熱管３２は、空気流方向に対して水平より４５°以下の角度に傾けたものであり、空気流の上流側より下流側を下方に配置した」ものであって、ヒートポンプ式空調機の室外機がプロペラファンを有するものか明らかでなく、さらに、プロペラファンの中心軸を通る仮想水平面と、偏平伝熱管３２の向きとの関係が不明である点。
　
［相違点８］
　訂正発明４においては、「前記室外熱交換手段は、前記中心軸を通る前記仮想水平面を基準にして上下対称に構成されている」のに対して、
　甲１発明においては、ヒートポンプ式空調機の室外機がプロペラファンを有するものか明らかでなく、アルミニウム製プレートフィンチューブ熱交換器がプロペラファンの中心軸を通る仮想水平面に対してどのような配置となるのか不明である点。
　
イ　判断
　事案に鑑み、まず、上記相違点８について検討する。
　
［相違点８について］
　甲２発明は、「上下方向に複数段に配置された偏平伝熱管１およびフィン２を含む熱交換器５と、熱交換器５の下流側に配置される送風ファン６と、を備え、熱交換器５は送風ファン６と対向して配置されるとともに、フィン２が偏平伝熱管１の間に、偏平伝熱管１と同じ傾斜角で設けられており、偏平伝熱管１は扁平形状であって、全ての偏平伝熱管１は下流側が上方を向くように傾斜して配置されている、屋外に設置され、ケース７に収納された、空調機器分野の蒸発器や凝縮器等として使用される熱交換器５及び送風ファン６。」であって、熱交換器５は、「全ての偏平伝熱管１」に関して「下流側が上方を向くように傾斜して配置されている」ものである。そして、第３図をみると、送風ファン６の中心軸を通る仮想水平面に対して上下対称のものではないことは明らかである。
　甲８記載事項は、「室外機１における熱交換器４を
空気の流れ方向に複数列配置
上下方向に複数段に配置された
仮想水平面
　また、甲９に記載された事項によると、軸流ファン３の軸の上下に熱交換器２が配置されているが、熱交換器２のフィンの傾斜や配置を含めて軸流ファン３の軸が形成する仮想水平面に対して上下対称であるかは不明である。
　そうすると、甲１発明に、甲８、甲９に記載された事項を適用して、上記相違点８に係る訂正発明４とすることは、当業者が容易になし得たとはいえない。
　したがって、他の相違点について検討するまでもなく、訂正発明４は、甲１発明、甲２発明、甲８及び甲９記載事項から当業者が容易に発明をすることができたとはいえない。
　
（３）請求項６について
　訂正発明６は、訂正発明１、３又は５に対して「前記中心軸に近い側における前記伝熱管同士の間隔は、前記中心軸から遠い側における前記伝熱管同士の間隔よりも狭いこと」をさらに特定したものである。
　しかし、甲２には第３図等から見て偏平伝熱管同士の間隔は、ほぼ等しいものである。　
　また、甲１１には、「室外空気熱交換器１０３と送風機ファン２０２との位置関係により、下側領域における伝熱管３０１のピッチＤｐを上側領域よりも広くなるようにしている」（甲１１の段落【００２２】参照。）ものであるが、送風ファン２０２の中心軸に近い側における伝熱管３０１のピッチを、中心軸から遠い側における伝熱管同士の間隔より狭くするものは示されていない。
　そうすると、訂正発明６は、甲１発明、甲２及び甲１１に記載された事項から当業者が容易に発明をすることができたとはいえない。
　
第６　令和１年１２月１２日提出の異議申立人による意見書について
　異議申立人は、令和１年１２月１２日に意見書とともに甲１４号証及び甲第１５号証を提出し、訂正発明１は甲１４発明、甲１５記載事項及び甲８記載事項に基いて、訂正発明４は、甲１４発明及び甲１５記載事項に基いて、それぞれ当業者が容易に発明することができたものであって、特許法第２９条第２項の規定により特許を受けることができないから、その発明に係る特許は取り消すべきものであると主張しているので、その点について以下検討する。
　
１　訂正発明１
　異議申立人は、意見書において、甲１４発明は、「上下方向に複数段に配置されたチューブ及びフィンを含む熱交換器と、熱交換器の下流側に配置されるファンとを備え、熱交換器は、ファンと対向して配置されるとともに、フィンがファンの中心軸に直行する上下方向に直線状に延び、チューブは、扁平形状であり、熱交換器は、ファンの中心軸を通る仮想水平面を基準にして上下対称に構成されている、熱交換装置」（意見書３ページ下から３行ないし４ページ２行）であり、
　甲１５記載事項は、「熱交換器において、ファンの中心軸を通る仮想水平面に対して上方に位置するチューブの下流側が当該仮想水平面側を向くように傾斜状態で配置されていること」（意見書４ページ６ないし９行）であるとしている。
　また、甲８の段落【００２５】には、「熱交換器４における風速分布をより均一にするには、室外機１に応じて各扁平伝熱管６の傾き角度を細かく調整することが必要になる」こと、及び「熱交換器４上部から下部にかけて一本単位で、きめ細かく扁平伝熱管６の傾き角度を変化させれば、熱交換器４を通過する空気の風速を、より均一に近づけることも可能である」ことについて記載されている。
　しかし、甲１４発明、甲１５記載事項及び甲８記載事項は、熱交換器とファンとの高さ方向の位置関係と、偏平状のチューブの傾斜角度との関係である、上記訂正発明１における発明特定事項Ａを開示や示唆するものではないから、訂正発明１は、甲１４発明、甲１５記載事項及び甲８記載事項に基いて当業者が容易に発明をすることができたとはいえない。
　
２　訂正発明４
　訂正発明４は、訂正前の請求項４が請求項１から３のいずれか１項を引用する記載であるところ、請求項２及び３を引用しないものとしたうえで、請求項１を引用するものについて請求項間の引用関係を解消して独立形式請求項に改める訂正事項４によるものであるから、訂正前の請求項４に係る発明と実質変わるところはないから、甲１４、甲１５の提出は、実質的に請求項４の訂正に伴ったものとはいえない。
　そうすると、特許異議の申立ての理由に対して実質的に新たな証拠を追加するものであるから採用できない。
　また、仮に採用したとしても、甲１４は自動車用ラジエータの熱交換器に関するものであって、空気調和機の室外機の室外機の熱交換手段に関するものではないから技術分野が異なるとともに、熱交換器がファンの中心軸を通る仮想水平面を基準として上下対称であるという記載はなく、図面を併せてみても熱交換器がファンの中心軸を通る仮想水平面を基準として上下対称といえるかは不明である。
　甲１５は、建設機械の冷却装置における熱交換器に関するものであって、空気調和機の室外機の室外機の熱交換手段に関するものではないから技術分野が異なるとともに、ファンは遠心型冷却ファンであってプロペラファンとは異なるから直ちに甲１４発明には適用できない。
　したがって、訂正発明４は、甲１４発明及び甲１５記載事項に基いて当業者が容易に発明をすることができたとはいえない。
　
第７　むすび
　以上のとおりであるから、取消理由通知に記載した取消理由及び特許異議申立書に記載した申立ての理由によっては、本件請求項１、３ないし７に係る特許を取り消すことはできない。
　また、他に本件請求項１、３ないし７に係る特許を取り消すべき理由を発見しない。
　また、請求項２に係る特許は、本件訂正により削除されたため、本件特許の請求項２に対して異議申立人がした特許異議の申立てについては、対象となる請求項が存在しない。
　よって、結論のとおり決定する。
　　　　
【異議決定日】
令和１年１２月２７日（２０１９．１２．２７）
【訂正の要旨】
審決（決定）の【理由】欄参照。
（５４）【発明の名称】
空気調和機の室外機
　【技術分野】
　【０００１】
　本発明は、空気調和機の室外機に関する。
　【背景技術】
　【０００２】
　従来、扁平管を用いた熱交換器としては、複数の扁平管が一定間隔で水平に配置されたものが提案されている。このような熱交換器では、扁平管の平面部が水平であり、蒸発器として作用している際に凝縮水が滞留し易くなり、滞留した凝縮水が平面部に付着することで空気と冷媒との熱交換が阻害されて蒸発性能が低下したり、また着霜し易くなるという問題があった。このため、扁平管を傾斜させることにより、扁平管の平面部に水滴が滞留し難いようにした技術が提案されている（例えば、特許文献１参照）。
　【先行技術文献】
　【特許文献】
　【０００３】
　【特許文献１】特開２０１０−１４３２９号公報
　【発明の概要】
　【発明が解決しようとする課題】
　【０００４】
　しかしながら、特許文献１に記載の技術では、凝縮水の排水性については確保できるものの、送風機の形態による風速分布については考慮されていなかった。
　【０００５】
　本発明の目的は、熱交換器の排水性を確保しつつ、さらなる性能向上を図ることが可能な空気調和機の室外機を提供するものである。
　【課題を解決するための手段】
　【０００６】
　本発明は、上下方向に複数段に配置された伝熱管およびフィンを含む室外熱交換手段と、前記室外熱交換手段の下流側に配置されるプロペラファンを含む室外送風手段と、を備え、前記室外熱交換手段は、前記プロペラファンと対向して配置されるとともに、前記フィンが前記プロペラファンの中心軸に直交する上下方向に直線状に延び、前記伝熱管は扁平形状であり、かつ、前記プロペラファンの中心軸を通る仮想水平面に対して上方に位置する前記伝熱管のすべては下流側が前記仮想水平面を向くように傾斜状態で配置されている
とともに、前記仮想水平面に対して下方に位置する前記伝熱管のすべても下流側が前記仮想水平面を向くように傾斜状態で配置されており、前記室外熱交換手段の高さ方向一端と前記プロペラファンの高さ方向一端との高さ方向長さが、前記室外熱交換手段の高さ方向他端と前記プロペラファンの高さ方向他端との高さ方向長さよりも長く形成され、前記室外熱交換手段の前記高さ方向他端側に位置する前記伝熱管の傾斜角度よりも、前記室外熱交換手段の前記高さ方向一端側に位置する前記伝熱管の傾斜角度が大きくなっている
　【発明の効果】
　【０００７】
　本発明によれば、熱交換器の排水性を確保しつつ、さらなる性能向上を図ることが可能な空気調和機の室外機を提供できる。
　【図面の簡単な説明】
　【０００８】
　【図１】本発明の実施形態に係る空気調和機を示す構成図である。
　【図２】室外熱交換器の概略構造を示す斜視図である。
　【図３】第１実施形態における室外機の内部構造を示す側面図である。
　【図４】図３の熱交換部の一部拡大図である。
　【図５】第１実施形態におけるファン回転時に形成される空気の流れ図である。
　【図６】第２実施形態における室外機の内部構造を示す側面図である。
　【図７】第２実施形態における伝熱管の周囲に形成される空気の流れを示し、（ａ）は千鳥状に配置された場合、（ｂ）はタンデム状に配置された場合である。
　【図８】第３実施形態における室外機の内部構造を示す側面図である。
　【図９】第４実施形態における室外機の内部構造を示す側面図である。
　【図１０】第５実施形態における室外機の内部構造を示す側面図である。
　【図１１】第６実施形態における室外機の内部構造を示す側面図である。
　【図１２】伝熱管の変形例を示す縦断面図である。
　【発明を実施するための形態】
　【０００９】
　以下、本発明を実施するための形態（以下「実施形態」という）について、適宜図面を参照しながら詳細に説明する。なお、説明の便宜上、各実施形態で共通する部材については同一の符号を付して、重複する説明を省略する。なお、図１１に示す第６実施形態については、参考形態とする。
　図１は、本発明の実施形態に係る空気調和機を示す構成図である。
　図１に示すように、空気調和機１００は、室外機（室外ユニット）８と室内機（室内ユニット）９とが、接続配管１０，１１によって接続されることで冷房および暖房が可能な冷凍サイクルを構成している。室外機８は、圧縮機１と、流路切替手段としての四方弁２と、室外熱交換器（熱交換部）３と、冷暖房運転用の絞り装置（流量制御弁）４と、室外送風手段６と、を備えて構成されている。室内機９は、室内熱交換器５と、貫流ファンなどの室内送風手段７と、を備えて構成されている。
　【００１０】
　空気調和機１００において冷房運転する場合には、破線矢印で示すように、圧縮機１で圧縮された高温・高圧のガス冷媒が四方弁２を通って室外熱交換器３に流れ、外気（空気）と熱交換することで凝縮し、高圧の液冷媒となる。液冷媒は、絞り装置４の作用で減圧され、低温低圧の気液二相状態となり、接続配管１１を通じて室内機９に流れる。室内機９に入った冷媒は、室内熱交換器５で室内空気の熱と熱交換することで蒸発する。室内熱交換器５で蒸発した冷媒は、接続配管１０を通じて、室外機８に戻り、四方弁２を通って再び圧縮機１で圧縮される。
　【００１１】
　空気調和機１００において暖房運転する場合には、実線矢印で示すように、圧縮機１で圧縮された高温・高圧のガス冷媒が四方弁２および接続配管１０を通って室内機９に流れる。室内機９に入ったガス冷媒は、室内熱交換器５で室内空気と熱交換することで凝縮し、高圧の液冷媒となる。高圧の液冷媒は、接続配管１１を通って室外機８に流れる。室外機８に入った高圧の液冷媒は、絞り装置４の作用で減圧され、低温低圧の気液二相状態となり、室外熱交換器３に流れ、室外空気の熱と熱交換することで蒸発し、ガス冷媒となる。室外熱交換器３でガス状となった冷媒は、四方弁２を通って再び圧縮機１で圧縮される。
　【００１２】
　図２は、室外熱交換器の概略構造を示す斜視図である。
　図２に示すように、室外熱交換器３は、クロスフィンチューブ型であり、板厚方向に所定の間隔を置いて設けられた複数の板状フィン（冷却フィン）１２と、各板状フィン１２を板厚方向に貫通し、所定間隔で上下方向に複数段（図２では、１０段）に配置された伝熱管１３と、を含む熱交換部３Ｓ，３Ｓを備えている。また、熱交換部３Ｓ，３Ｓは、空気の流れ方向Ａに沿って２列に配置されて構成されている。
　【００１３】
　板状フィン１２と伝熱管１３とは、板状フィン１２に挿通された伝熱管１３を液圧または機械的に拡管することにより密着している。なお、図示省略しているが、伝熱管１３の端部には、他の伝熱管１３の端部とリターンベンドを介して溶接などで接続され、冷媒流路を構成している。また、伝熱管１３の段数は、１０段に限定されるものではなく、９段以下であっても、１１段以上であってもよい。
　【００１４】
　例えば、板状フィン１２は、アルミニウム合金などの金属製の薄板（例えば、厚さ０．１ｍｍ）によって形成されている。伝熱管１３は、アルミニウム合金などの金属製であり、伝熱管１３の一部である上下に平行に配置された平面部１３ａ，１３ｂと、長手方向の両端に配置されて平面部１３ａ，１３ｂ同士を繋ぐ曲面部１３ｃ，１３ｄと、を備えた扁平形状である。また、伝熱管１３は、内部が複数の隔壁で区画された流路を備えている。
　【００１５】
　なお、室外熱交換器３の構成としては、図２に示すような板状フィン１２と伝熱管１３との組み合わせに限定されるものではなく、扁平管（伝熱管１３）と扁平管（伝熱管１３）との間に、波型（ひだ状）のフィンを溶着したものでもよく、また櫛歯状に切り欠かれた板状フィンに伝熱管１３を挿入して溶着したものであってもよい。
　【００１６】
（第１実施形態）
　図３は、第１実施形態における室外機の内部構造を示す側面図、図４は、図３の熱交換部の一部拡大図である。なお、図３では、圧縮機１、四方弁２および絞り装置４の図示を省略している。また、図４（ａ）〜（ｇ）は、熱交換部３Ａのプロペラファン６０の中心軸Ｏよりも上側の伝熱管１３について、中心軸Ｏに近い側から順に示したものである。
　【００１７】
　図３に示すように、室外機８は、室外熱交換器３（室外熱交換手段）および室外送風手段６が四角箱型の筺体２１内に収容されて構成されている。また、筺体２１内において、室外熱交換器３が後側（背面側）に配置され、室外送風手段６が前側（正面側）に配置されている。
　【００１８】
　室外送風手段６は、軸流ファンであるプロペラファン（送風機）６０およびベルマウス６１によって構成されている。プロペラファン６０は、回転中心に設けられた円筒状のボス６０ａと、このボス６０ａの周囲に設けられた複数枚の羽根６０ｂとによって構成され、図示しない電動機によって回転駆動される。ベルマウス６１は、プロペラファン６０の軸方向に沿う略円筒形状であり、羽根６０ｂの外周に沿って配置されている。
　【００１９】
　室外熱交換器３は、プロペラファン６０と対向して配置されている。なお、室外熱交換器３の形状は、平板状のものに限定されず、Ｌ字状、コ字状など従来からある形状を採用することもできる。
　【００２０】
　また、室外熱交換器３は、熱交換部３Ａ，３Ｂが空気の流れ方向（図４参照）に沿って配置され、熱交換部３Ａの前面と熱交換部３Ｂの背面とが互いに接するように配置されている。また、室外熱交換器３は、プロペラファン６０の直径Ｒよりも上下方向に長く形成され、室外熱交換器３の上端３ａがプロペラファン６０の上端６０ｃの上方に位置し、室外熱交換器３の下端３ｂがプロペラファン６０の下端６０ｄの下方に位置している。また、図示していないが、室外熱交換器３は、プロペラファン６０の直径Ｒよりも左右方向（図３の紙面垂直方向）に長く形成されている。つまり、室外熱交換器３は、プロペラファン６０の軸方向からの平面視において、プロペラファン６０の全体が室外熱交換器３（熱交換部３Ａ，３Ｂ）に含まれるように配置されている。
　【００２１】
　熱交換部３Ａにおいては、プロペラファン６０の中心軸Ｏを通る仮想水平面Ｓ（図３では、線状に図示）を基準にして、上側に複数段（図３では、７段）の伝熱管１３Ａ，１３Ｂ，１３Ｃ，１３Ｄ，１３Ｅ，１３Ｆ，１３Ｇが配置され、下側に複数段（図３では、７段）の伝熱管１３Ｈ，１３Ｉ，１３Ｊ，１３Ｋ，１３Ｌ，１３Ｍ，１３Ｎが配置されている。また、伝熱管１３Ａ〜１３Ｇ（１３Ｈ〜１３Ｎ）は、上下方向に等間隔に配置されている。
　【００２２】
　また、伝熱管１３Ａ〜１３Ｇは、長手方向の下流側Ｐ１（曲面部１３ｄ）が中心軸Ｏ側を向くように傾斜して配置される。換言すると、伝熱管１３Ａ〜１３Ｇは、空気吸込み側の曲面部１３ｃが上向きで、逆側の曲面部１３ｄが下向きとなるように、傾斜状態で配置される。
　【００２３】
　また、伝熱管１３Ｈ〜１３Ｎは、長手方向の下流側Ｐ２（曲面部１３ｄ）が中心軸Ｏ側を向くように傾斜して配置される。換言すると、伝熱管１３Ｈ〜１３Ｎは、空気吸込み側の曲面部１３ｃが下向きで、逆側の曲面部１３ｄが上向きとなるように、傾斜状態で配置される。
　【００２４】
　図４（ａ）〜（ｇ）に示すように、伝熱管１３Ａ〜１３Ｇの仮想水平面Ｓ（図３参照）に対する傾斜角度をそれぞれα１，α２，α３，α４，α５，α６，α７としたときに、α１＜α２＜α３＜α４＜α５＜α６＜α７の関係が成り立つように設定されている。つまり、伝熱管１３Ａ〜１３Ｇは、プロペラファン６０の中心軸Ｏから離れるほど仮想水平面Ｓに対する傾斜角度が大きくなるように設定されている。
　【００２５】
　また、伝熱管１３Ｈ〜１３Ｎは、中心軸Ｏを通る仮想水平面Ｓを基準にして上下対称に構成されている。よって、伝熱管１３Ｈ〜１３Ｎの傾斜角度についても、伝熱管１３Ａ〜１３Ｇの傾斜角度α１〜α７と同様な傾斜状態で配置されている。つまり、伝熱管１３Ｈ〜１３Ｎは、プロペラファン６０の中心軸Ｏから離れるほど仮想水平面Ｓに対する傾斜角度が大きくなるように設定されている。
　【００２６】
　このように、熱交換部３Ａにおいて、伝熱管１３Ａ〜１３Ｇと伝熱管１３Ｈ〜１３Ｎとは、中心軸Ｏを通る仮想水平面Ｓに対して上下対称に構成されている。また、熱交換部３Ａの空気の流れ方向の下流側に配置される熱交換部３Ｂについても、熱交換部３Ａと同様にして構成されている。
　【００２７】
　なお、本実施形態では、中心軸Ｏが、室外熱交換器３の高さ方向（上下方向）の中心Ｐと一致するように構成されているが、必ずしも一致させる必要はない（上下非対称であってもよい）。例えば、室外熱交換器３の上端３ａとプロペラファン６０の上端６０ｃとの長さＬ１（図３参照）が、室外熱交換器３の下端３ｂとプロペラファン６０の下端６０ｄとの長さＬ２（図３参照）よりも長く形成されている場合、室外熱交換器３の下端側に位置する伝熱管１３の傾斜角度よりも、室外熱交換器３の上端側に位置する伝熱管１３の傾斜角度が大きくなるように設定される。
　【００２８】
　図５は、第１実施形態におけるファン回転時に形成される空気の流れ図である。
　図５に示すように、室外機８では、プロペラファン６０とベルマウス６１とによって室外送風手段６が構成されているので、プロペラファン６０が回転することで、室外機８の背面側から空気を巻き込むようにして吸い込まれる。すなわち、室外熱交換器３の中心軸Ｏより上側では、室外熱交換器３の上端３ａよりも上側の空気を取り込み、室外熱交換器３の中心軸Ｏより下側では、室外熱交換器３の下端３ｂよりも下側の空気を取り込むように、空気の流れが形成される。すなわち、プロペラファン６０の中心軸Ｏに近い側においては、矢印Ａ１，Ａ２で示すように、仮想水平面Ｓに対する空気の流入角度が小さく、中心軸Ｏに遠くなるにつれて矢印Ａ３，Ａ４で示すように、仮想水平面Ｓに対する空気の流入角度が大きくなる。
　【００２９】
　このように、通常、プロペラファン６０の直径Ｒよりも室外熱交換器３の高さが高く（大きく）形成されているため、プロペラファン６０の外側に配置される部分の室外熱交換器３にも空気が十分に流れるように、プロペラファン６０が形成する空気流れがプロペラファン６０の上流側で広く、下流側で絞られるように、羽根６０ｂの角度が調整されている。したがって、図５に示すように、室外熱交換器３の上流側での空気の流れ方向は、中心軸Ｏの上側で矢印Ａ３方向、下側で矢印Ａ４方向となり、空気が上下方向から中心軸Ｏに向かって斜めに流入する。このとき、空気が流入する角度は、中心軸Ｏから離れるほど中心軸Ｏを通る水平面（仮想水平面Ｓ）に対して大きくなる。
　【００３０】
　そこで、図３および図４において説明したように、第１実施形態では、空気の流入角度分布に合うように、中心軸Ｏから離れた位置の伝熱管１３ほど仮想水平面Ｓに対する角度を大きくしている。例えば、伝熱管１３Ａ〜１３Ｇにおいては、中心軸Ｏに近い側から一段毎に３°ずつ増加している。
　【００３１】
　続いて、このように構成された空気調和装置の室外機８の動作について、図１〜図５を参照して説明する。
　暖房運転時においては、冷媒が実線方向（図１参照）に流れるように四方弁２を切換え、冷媒を図１の実線矢印方向（図１の時計回り方向）に、圧縮機１、四方弁２、室内熱交換器５、絞り装置４、室外熱交換器３の順に流す。このとき、絞り装置４は、空調負荷に応じた適度な開度に調整され、凝縮器として働く室内熱交換器５で十分に凝縮して液化した冷媒は絞り装置４で気液二相流となって、室外熱交換器３に流入する。
　【００３２】
　室外送風手段６であるプロペラファン６０は、所定の回転速度で回転しており、矢印Ａ１〜Ａ４で示すように外気（空気）が室外熱交換器３に流入する。ところで、伝熱管１３の仮想水平面Ｓに対する傾斜角度が０°である（伝熱管１３と仮想水平面Ｓとが平行である）と、特にプロペラファン６０の中心軸Ｏから遠い側に位置する伝熱管１３では、流入した空気が伝熱管に衝突して、空気の流れ方向が大きく変わり、空気の流れに剥離（かい離）が生じる。そこで、第１実施形態では、図３および図４に示すように、伝熱管１３（１３Ａ〜１３Ｎ）の平面部１３ａを傾斜させることで、プロペラファン６０への空気の流れを整流することが可能になる。これにより、プロペラファン６０の動力を減少させることができるだけでなく、伝熱管１３（１３Ａ〜１３Ｎ）を通過する上下の風速分布が均一化されるため、熱交換性能が向上する。
　【００３３】
　流入した空気は、伝熱管１３（１３Ａ〜１３Ｎ）を介して冷媒と熱交換し、空気の温度が低下する。例えば、外気温度が７℃のとき、伝熱管１３の温度を１℃とすると、空気はおよそ３℃程度まで低下する。このとき、空気に水分が含まれていると、伝熱管１３の表面で空気が露点温度まで冷やされた際に水分が結露し、水滴となる。第１実施形態のように、伝熱管１３の平面部１３ａを傾斜させることで、水滴が平面部１３ａの傾斜に沿って流れ、滞留することがないため、通風抵抗はほとんど増加しない。また、伝熱管１３の平面部１３ａを傾斜配置したことで、伝熱管１３に水滴が滞留するのを低減でき、空気と冷媒との熱交換が阻害されて蒸発性能が低下したり、また着霜し易くなるのを防止できる。その後、冷媒は、蒸発器として働く室外熱交換器３で十分蒸発してガス化した後、圧縮機１に戻る。
　【００３４】
　一方、冷房運転時においては、四方弁２を冷媒が図１の破線矢印方向に流れるように切換え、冷媒を図１の破線矢印方向（図１の反時計回り方向）に、圧縮機１、四方弁２、凝縮器として働く室外熱交換器３、絞り装置４、蒸発器として働く室内熱交換器５の順に流す。このとき、圧縮機１を出た高温、高圧のガス冷媒は、凝縮器として働く室外熱交換器３に流入する。
　【００３５】
　図５に示すように、室外送風手段６であるプロペラファン６０は、所定の回転速度で回転しており、矢印Ａ１〜Ａ４で示すように空気が室外熱交換器３に流入する。図３および図４に示すように、伝熱管１３の平面部１３ａを傾斜させることで、伝熱管１３の傾斜角度が空気の流入角度に近づくので、プロペラファン６０への空気の流れを整流でき（空気の剥離を低減でき）、プロペラファン６０の動力を低減させることができ、また伝熱管１３（１３Ａ〜１３Ｎ）を通過する上下の風速分布が均一化されるため、熱交換性能が向上する。
　【００３６】
　流入した空気は、伝熱管１３（１３Ａ〜１３Ｎ）を介して冷媒と熱交換し、空気の温度が低下する。例えば、外気温度が３５℃のとき、伝熱管１３の温度を４５℃とすると、空気はおよそ４０℃程度まで上昇する。その後、冷媒は、絞り装置弁４によって空調負荷に応じた適度な開度に調整され、室外熱交換器３によって十分に凝縮して液化し、絞り装置４によって減圧膨張して蒸発器として働く室内熱交換器５で十分蒸発して、圧縮機１に戻る。
　【００３７】
　なお、伝熱管１３の傾斜角度は、プロペラファン６０の直径Ｒと室外熱交換器３の高さ（大きさ）、室外熱交換器３の通風抵抗やプロペラファン６０の性能によって適正角度があるため、実験や流れ解析により微調整することが好ましい（以下の実施形態においても同様）。
　【００３８】
　以上説明したように、第１実施形態では、伝熱管１３Ａ〜１３Ｎが扁平形状であって、プロペラファン６０の中心軸Ｏを通る仮想水平面Ｓに対して当該伝熱管１３Ａ〜１３Ｎの長手方向の下流側Ｐ１，Ｐ２が中心軸Ｏ（仮想水平面Ｓ）を向くように傾斜している。これにより、室外熱交換器３が蒸発器として作用している際に発生する湿り空気の凝縮水をスムーズに下方に流すことができ、凝縮水の滞留による通風抵抗の増加を最小限に抑えることができる。なお、室外熱交換器３の中心軸Ｏより上側では、伝熱管１３Ａ〜１３Ｇに付着した凝縮水が、平面部１３ａに沿って流れ、筺体２１の内側に落下し、中心軸Ｏより下側では、伝熱管１３Ｈ〜１３Ｎに付着した凝縮水が、平面部１３ａに沿って流れ、筺体２１の外側に落下する。
　【００３９】
　また、第１実施形態によれば、前記のように伝熱管１３Ａ〜１３Ｎを傾斜して配置したことで、プロペラファン６０への空気の流れを整流し、プロペラファン６０に必要な動力を低減することができる。さらに、伝熱管１３（１３Ａ〜１３Ｎ）を通過する上下の風速分布が均一化されるため、熱交換性能が向上する。
　【００４０】
　ところで、前記したように、プロペラファン６０の中心軸Ｏに近い側で空気の流入角度が小さく（図４の矢印Ａ１，Ａ２参照）、中心軸Ｏに遠くなるにつれて流入角度（図４の矢印Ａ３，Ａ４参照）が大きくなる。そこで、第１実施形態では、各段毎（１段毎）に、伝熱管１３Ａ〜１３Ｇ（１３Ｈ〜１３Ｎ）の仮想水平面Ｓに対する傾斜角度を、中心軸Ｏから離れるほど大きくしているので、各高さ位置における空気の流入角度に合わせることができ、プロペラファン６０への空気の流れをさらに整流でき、熱交換性能をさらに向上できる。
　【００４１】
　また、第１実施形態では、熱交換部３Ａ，３Ｂが中心軸Ｏを通る仮想水平面Ｓに対して上下対称に構成されているので、中心軸Ｏより上側だけでなく、中心軸Ｏより下側についても室外熱交換器３が蒸発器として作用している際に発生する湿り空気の凝縮水をスムーズに下方に流すことができ、凝縮水の滞留による通風抵抗の増加を最小限に抑えることができる。また、プロペラファン６０への空気の流れを整流し、プロペラファン６０に必要な動力を低減することができるとともに、室外熱交換器３を通過する上下の風速分布が均一化されるため、熱交換性能が向上する。このように、室外熱交換器３の上下方向の全体における熱交換性能を向上できる。
　【００４２】
（第２実施形態）
　図６は、第２実施形態における室外機の内部構造を示す側面図、図７は、第２実施形態における伝熱管の周囲に形成される空気の流れを示し、（ａ）は千鳥状に配置された場合、（ｂ）はタンデム状に配置された場合である。第２実施形態の空気調和機の室外機８Ａは、第１実施形態の室外熱交換器３に替えて室外熱交換器３０としたものである。
　【００４３】
　図６に示すように、室外熱交換器３０は、熱交換部３０Ａ（一の熱交換部）の各伝熱管１３Ａ〜１３Ｇの延長線Ｅ１〜Ｅ７（１点鎖線参照）上に熱交換部３０Ｂ（他の熱交換部）の各伝熱管１３Ａ´〜１３Ｇ´が配置されないように構成されている。なお、熱交換部３０Ａ，３０Ｂは、第１実施形態の熱交換部３Ａ，３Ｂと基本的な構成は同じである。
　【００４４】
　すなわち、熱交換部３０Ａの伝熱管１３Ａの延長線Ｅ１と伝熱管１３Ｂの延長線Ｅ２との中間に熱交換部３０Ｂの伝熱管１３Ａ´が位置している。また、熱交換部３０Ａの伝熱管１３Ｂの延長線Ｅ２と伝熱管１３Ｃの延長線Ｅ３との中間に熱交換部３０Ｂの伝熱管１３Ｂ´が位置している。また、熱交換部３０Ａの伝熱管１３Ｃの延長線Ｅ３と伝熱管１３Ｄの延長線Ｅ４との中間に熱交換部３０Ｂの伝熱管１３Ｃ´が位置している。また、熱交換部３０Ａの伝熱管１３Ｄの延長線Ｅ４と伝熱管１３Ｅの延長線Ｅ５との中間に熱交換部３０Ｂの伝熱管１３Ｄ´が位置している。また、熱交換部３０Ａの伝熱管１３Ｅの延長線Ｅ５と伝熱管１３Ｆの延長線Ｅ６との中間に熱交換部３０Ｂの伝熱管１３Ｅ´が位置している。また、熱交換部３０Ａの伝熱管１３Ｆの延長線Ｅ６と伝熱管１３Ｇの延長線Ｅ７との中間に熱交換部３０Ｂの伝熱管１３Ｆ´が位置している。また、熱交換部３０Ｂの伝熱管１３Ｇ´は、熱交換部３０Ａの伝熱管１３Ｇの延長線Ｅ７よりも上側に位置している。なお、図６に示す実施形態では、熱交換部３０Ｂの伝熱管１３Ａ´〜１３Ｇ´が、熱交換部３０Ａの伝熱管１３Ａ〜１３Ｇよりも高い位置に配置（上側にオフセットして配置）されているが、その逆に配置（下側にオフセットして配置）されていてもよい。
　【００４５】
　また、前記と同様に、熱交換部３０Ａの伝熱管１３Ｈの延長線（不図示、以下同様）と伝熱管１３Ｉの延長線との中間に熱交換部３０Ｂの伝熱管１３Ｈ´が位置している。また、熱交換部３０Ａの伝熱管１３Ｉの延長線と伝熱管１３Ｊの延長線との中間に熱交換部３０Ｂの伝熱管１３Ｉ´が位置している。また、熱交換部３０Ａの伝熱管１３Ｊの延長線と伝熱管１３Ｋの延長線との中間に熱交換部３０Ｂの伝熱管１３Ｊ´が位置している。また、熱交換部３０Ａの伝熱管１３Ｋの延長線と伝熱管１３Ｌの延長線との中間に熱交換部３０Ｂの伝熱管１３Ｋ´が位置している。また、熱交換部３０Ａの伝熱管１３Ｌの延長線と伝熱管１３Ｍの延長線との中間に熱交換部３０Ｂの伝熱管１３Ｌ´が位置している。また、熱交換部３０Ａの伝熱管１３Ｍの延長線と伝熱管１３Ｎの延長線との中間に熱交換部３０Ｂの伝熱管１３Ｍ´が位置している。また、熱交換部３０Ｂの伝熱管１３Ｎ´は、熱交換部３０Ａの伝熱管１３Ｎの延長線よりも下側に位置している。なお、図５に示す実施形態では、熱交換部３０Ｂの伝熱管１３Ｈ´〜１３Ｎ´が、熱交換部３０Ａの伝熱管１３Ｈ〜１３Ｎよりも低い位置に配置（下側にオフセットして配置）されているが、その逆に配置（上側にオフセットして配置）されていてもよい。
　【００４６】
　ところで、図７（ｂ）に示すように、一方の熱交換部の伝熱管１３と他方の熱交換部の伝熱管１３をタンデム状に配置、換言すると一方の伝熱管１３の長手方向と他方の伝熱管１３の長手方向とが直線上に位置するように配置すると、流入した空気が、矢印Ａ１０で示すように、上流側の伝熱管１３の平面部１３ａを通過した後に下流側の伝熱管１３の平面部１３ａを通過する。また、流入した空気は、矢印Ａ１１で示すように、上流側の伝熱管１３の平面部１３ｂを通過した後に下流側の伝熱管１３の平面部１３ｂを通過する。このような配置の場合、一方の熱交換部の伝熱管１３と他方の熱交換部の伝熱管１３との間に空気が流れ難くなる空間が形成されるので、熱交換性能が低下する。
　【００４７】
　そこで、図７（ａ）に示すように、熱交換部３０Ａ（一方の熱交換部）の伝熱管１３Ａ〜１３Ｎと熱交換部３０Ｂ（他方の熱交換部）の伝熱管１３Ａ´〜１３Ｎ´とを千鳥状に（互い違いに）配置することで、流入した空気が、矢印Ａ５で示すように、熱交換部３０Ａの図示上側の伝熱管１３の平面部１３ｂを通過した後に熱交換部３０Ｂの伝熱管１３の平面部１３ａを通過する。また、流入した空気は、矢印Ａ６で示すように、熱交換部３０Ａの図示下側の伝熱管１３の平面部１３ａを通過した後に熱交換部３０Ｂの伝熱管１３の平面部１３ｂを通過する。このように、熱交換部３０Ａの伝熱管１３と熱交換部３０Ｂの伝熱管１３との間に空気の流れが生じるので、熱交換性能が低下するのを抑制することができる。
　【００４８】
（第３実施形態）
　図８は、第３実施形態における室外機の内部構造を示す側面図である。
　図８に示すように、第３実施形態の空気調和機の室外機８Ｂは、伝熱管１３Ａ〜１３Ｇ（１３Ｈ〜１３Ｎ）を一定間隔で複数段とした室外熱交換器３（第１実施形態）に替えて、室外熱交換器４０としたものである。なお、室外熱交換器４０において、熱交換部４０Ａと熱交換部４０Ｂとは同様の構成であるので、以下では、熱交換部４０Ａのみについて説明する。
　【００４９】
　ところで、プロペラファン６０が作る空気の流れは、プロペラファン６０に近いほど（周囲に対して中心軸Ｏに近くなればなるほど）速くなり、中心軸Ｏ付近に流れ易い分布が形成される。そこで、第３実施形態では、熱交換部４０Ａにおいて、プロペラファン６０の中心軸Ｏに近い側の隣り合う伝熱管１３同士の距離Ｌ１０（例えば、伝熱管１３Ａと伝熱管１３Ｂとの距離、伝熱管１３Ｂと伝熱管１３Ｃとの距離）を、中心軸Ｏから遠い側の伝熱管１３同士の距離Ｌ２０（例えば、伝熱管１３Ｃと伝熱管１３Ｄとの距離、伝熱管１３Ｄと伝熱管１３Ｅとの距離、伝熱管１３Ｅと伝熱管１３Ｆとの距離、伝熱管１３Ｆと伝熱管１３Ｇとの距離）よりも狭めたものである（Ｌ１０＜Ｌ２０）。
　【００５０】
　これにより、第１実施形態の効果に加えて、中心軸Ｏ側の空気の流れが抑えられるので、その分中心軸Ｏから遠い側に空気が流れ易くなり、室外熱交換器３を通過する上下の風速分布がより均一化され、熱交換器性能が向上する。
　【００５１】
（第４実施形態）
　図９は、第４実施形態における室外機の内部構造を示す側面図である。
　図９に示すように、第４実施形態の空気調和機の室外機８Ｃは、伝熱管群１３Ｐ，１３Ｑ，１３Ｒ，１３Ｓの仮想水平面Ｓに対する傾斜角度を、中心軸Ｏから離れるほど大きくしている。なお、熱交換部５０Ａと熱交換部５０Ｂは、同様の構成であるので、以下では熱交換部５０Ａのみについて説明する。なお、伝熱管群１３Ｐ，１３Ｑ，１３Ｒ，１３Ｓの伝熱管１３の段数は、一例であって、本実施形態に限定されるものではない。
　【００５２】
　伝熱管群１３Ｐは、３本の伝熱管１３で構成され、いずれの伝熱管１３も仮想水平面Ｓに対して傾斜角度β１に設定されている。伝熱管群１３Ｑは、３本の伝熱管１３で構成され、いずれの伝熱管１３も仮想水平面Ｓに対して傾斜角度β１よりも大きい傾斜角度β２に設定されている。伝熱管群１３Ｒは、４本の伝熱管１３で構成され、いずれの伝熱管１３も仮想水平面Ｓに対して傾斜角度β２よりも大きい傾斜角度β３に設定されている。伝熱管群１３Ｓは、いずれの伝熱管１３も仮想水平面Ｓに対して傾斜角度β３よりも大きい傾斜角度β４に設定されている（β１＜β２＜β３＜β４）。
　【００５３】
　例えば、伝熱管群１３Ｐの傾斜角度β１を５°、伝熱管群１３Ｑの傾斜角度β２を１０°、伝熱管群１３Ｒの傾斜角度β３を１５°、伝熱管群１３Ｓの傾斜角度β４を２０°というように、伝熱管群１３Ｐ，１３Ｑ，１３Ｒ，１３Ｓの各伝熱管１３に対して同じ角度が適用される。
　【００５４】
　このように、第４実施形態では、伝熱管群１３Ｐ，１３Ｑ，１３Ｒ，１３Ｓ毎に、仮想水平面Ｓに対する傾斜角度を、中心軸Ｏから離れるほど大きくしている。これにより、各高さ位置における空気の流入角度に伝熱管１３の傾斜角度β１，β２，β３，β４を近づけることができ、プロペラファン６０への空気の流れを整流でき、熱交換性能を向上できる。
　【００５５】
　図１０は、第５実施形態における室外機の内部構造を示す側面図である。
　図１０に示すように、第５実施形態の空気調和機の室外機８Ｄは、熱交換部６０Ａ，６０Ｂにおいて、伝熱管１３の傾斜角度γをひとつの角度に固定し、中心軸Ｏを通る仮想水平面Ｓに対して上下対称に構成したものである。傾斜角度γは、例えば、１５°に設定される。
　【００５６】
　このように、第５実施形態では、伝熱管１３の傾斜角度γをひとつの角度に固定することで、第１実施形態の効果に加えて、室外熱交換器３を製造する際の作り勝手を向上できる（作り易くなる）。
　【００５７】
（第６実施形態）
　図１１は、第６実施形態における室外機の内部構造を示す側面図である。
　図１１に示すように、第６実施形態の空気調和機の室外機８Ｅは、上下に２分割された熱交換部７０Ａ，７０Ｂを備えるものである。熱交換部７０Ａは、側面視（縦断面視）において細長四角形状を呈する板状フィン１２の延在方向Ｓ１に沿って複数段に配置された伝熱管１３を備えている。伝熱管１３は、扁平形状であり、該伝熱管１３の長手方向が延在方向Ｓ１に対して直交するように配置されている。また、各伝熱管１３は、等間隔に配置されている。その他の熱交換部７０Ｂについても、熱交換部７０Ａと同一形状である。
　【００５８】
　また、熱交換部７０Ａ，７０Ｂは、プロペラファン６０の中心軸Ｏを通る仮想水平面Ｓを基準に分割して配置され、当該熱交換部７０Ａ，７０Ｂが傾斜した状態で配置されることで、各伝熱管１３の長手方向の下流側が中心軸Ｏを向くように構成されている。また、仮想水平面Ｓの上下において、熱交換部７０Ａにおける伝熱管１３の傾斜角度と、熱交換部７０Ｂにおける伝熱管１３の傾斜角度は対称に構成されている。また、傾斜角度は、第１実施形態と同様に決めることができる。なお、空気調和機の室外機８Ｅとしての運転動作も第１実施形態と同様である。
　【００５９】
　このように、第６実施形態によれば、第１実施形態と同様の効果が得られるとともに、熱交換部７０Ａ，７０Ｂを同様の構成にできるので、室外熱交換器７０の作り勝手を向上できる。また、室外熱交換器７０を製作後に傾斜角度の調整が可能となるため、より最適な角度にすることが可能になる。
　【００６０】
　なお、第６実施形態では、仮想水平面Ｓを基準にして、熱交換部７０Ａ，７０Ｂとして２分割した場合を例に挙げて説明したが、プロペラファン６０の風速分布に応じて、プロペラファン６０の中心軸Ｏを通る仮想水平面Ｓを基準にして４分割としてもよく、それ以上の分割数にしてもよい。また、仮想水平面Ｓを基準にして上下の分割数を同じする構成に限定されるものではなく、上下で分割数を変えてもよい。
　【００６１】
　図１２は、伝熱管の形状の変形例を示す縦断面図である。
　図１２に示すように、伝熱管１３０は、１３ａ，１３ｂを有する扁平形状の伝熱管１３（図２参照）に替えて、扁平形状である翼形状としたものである。この伝熱管１３０は、例えば、前縁１３０ａから後縁１３０ｂに向けて、厚みが徐々に薄くなる形状である。このような形状であっても、伝熱管１３０の上面１３０ｃに付着した凝縮水の滞留を抑制できるとともに、プロペラファン６０への空気を整流できる。なお、図１２では、伝熱管１３０の断面形状を翼形状としたが、扁平形状であり、かつ、凝縮水の滞留を抑制できるものであれば、断面視扁平な楕円形状などであってもよい。
　【００６２】
　なお、本発明は前記した実施形態に限定されるものではなく、本発明の趣旨を逸脱しない範囲において種々変更することができる。例えば、第１実施形態ないし第６実施形態の複数を選択して適用してもよい。また、図１２に示す伝熱管１３０を第１実施形態ないし第６実施形態に適用してもよい。
　【符号の説明】
　【００６３】
　１　　　圧縮機
　２　　　四方弁
　３　　　室外熱交換器（室外熱交換手段）
　４　　　冷暖房用の絞り装置（流量制御弁）
　５　　　室内熱交換器
　６　　　室外送風手段
　７　　　室内送風手段
　８　　　室外ユニット
　９　　　室内ユニット
　１０、１１　接続配管
　１２　　板状フィン
　１３，１３Ａ〜１３Ｎ，１３Ａ´〜１３Ｎ´，１３Ｐ〜１３Ｓ　伝熱管
　１３ａ，１３ｂ　平面部
　６０　　プロペラファン
　６１　　ベルマウス
　α１〜α７，β１〜β４　傾斜角度
　Ａ，Ａ１、Ａ２　空気の流れ方向
　Ｏ　　　中心軸
　Ｓ　　　仮想水平面
（５７）【特許請求の範囲】
　【請求項１】
　上下方向に複数段に配置された伝熱管およびフィンを含む室外熱交換手段と、
　前記室外熱交換手段の下流側に配置されるプロペラファンを含む室外送風手段と、を備え、
　前記室外熱交換手段は、前記プロペラファンと対向して配置されるとともに、前記フィンが前記プロペラファンの中心軸に直交する上下方向に直線状に延び、
　前記伝熱管は扁平形状であり、かつ、前記プロペラファンの中心軸を通る仮想水平面に対して上方に位置する前記伝熱管のすべては下流側が前記仮想水平面を向くように傾斜状態で配置されている
とともに、前記仮想水平面に対して下方に位置する前記伝熱管のすべても下流側が前記仮想水平面を向くように傾斜状態で配置されており、
　前記室外熱交換手段の高さ方向一端と前記プロペラファンの高さ方向一端との高さ方向長さが、前記室外熱交換手段の高さ方向他端と前記プロペラファンの高さ方向他端との高さ方向長さよりも長く形成され、前記室外熱交換手段の前記高さ方向他端側に位置する前記伝熱管の傾斜角度よりも、前記室外熱交換手段の前記高さ方向一端側に位置する前記伝熱管の傾斜角度が大きくなっている
　【請求項２】（削除）
　【請求項３】
　前記伝熱管は、各段毎または複数段毎に、前記中心軸から離れるほど前記仮想水平面に対する傾斜角度が大きいことを特徴とする請求項
１に
　【請求項４】
　上下方向に複数段に配置された伝熱管およびフィンを含む室外熱交換手段と、
　前記室外熱交換手段の下流側に配置されるプロペラファンを含む室外送風手段と、を備え、
　前記室外熱交換手段は、前記プロペラファンと対向して配置されるとともに、前記フィンが前記プロペラファンの中心軸に直交する上下方向に直線状に延び、
　前記伝熱管は扁平形状であり、かつ、前記プロペラファンの中心軸を通る仮想水平面に対して上方に位置する前記伝熱管のすべては下流側が前記仮想水平面を向くように傾斜状態で配置され、
　前記室外熱交換手段は、前記中心軸を通る前記仮想水平面を基準にして上下対称に構成されていることを特徴とす
る空
　【請求項５】
　前記室外熱交換手段は、空気の流れ方向に沿って複数列に配置され、一の前記室外熱交換手段の前記伝熱管の延長線上に他の前記室外熱交換手段の前記伝熱管が配置されていないことを特徴とする請求項１
又は３
　【請求項６】
　前記中心軸に近い側における前記伝熱管同士の間隔は、前記中心軸から遠い側における前記伝熱管同士の間隔よりも狭いことを特徴とする請求項１
、３又は５
　【請求項７】
　前記伝熱管は、前記上下方向の断面視において翼形状であることを特徴とする請求項１
、３、５又は６